(57)【特許請求の範囲】
【請求項１】
フレキシブル帯域幅キャリアを介してデータを提供するための方法であって、
通常帯域幅キャリアを介したサービスのためのデータレートを識別することと、
前記フレキシブル帯域幅キャリアを介したデータレートが、少なくとも前記通常帯域幅キャリアを介した前記識別されたデータレートを達成するように前記フレキシブル帯域幅キャリアのための低減された拡散係数を判断することと、
前記フレキシブル帯域幅キャリアを介した前記データレートを達成するために前記低減された拡散係数を利用することと
を備える、方法。
【請求項２】
前記フレキシブル帯域幅キャリアの第１の無線フレームに第１のボイスフレームと第２のボイスフレームの一方または両方を適合させること
をさらに備える、請求項１に記載の方法。
【請求項３】
前記低減された拡散係数を判断することが、
前記フレキシブル帯域幅キャリアのチップレートディバイダで前記通常帯域幅キャリアの拡散係数を割ること
を備える、請求項１に記載の方法。
【請求項４】
前記フレキシブル帯域幅キャリアが、２または４に等しい帯域幅スケーリングファクタをもつフレキシブル帯域幅ＵＭＴＳキャリアを含む、請求項２に記載の方法。
【請求項５】
前記第１の無線フレームが拡張した無線フレームである、請求項２に記載の方法。
【請求項６】
前記フレキシブル帯域幅キャリアを介した前記データレートが、前記フレキシブル帯域幅キャリアを介した前記データの適用例に依存する、請求項１に記載の方法。
【請求項７】
前記フレキシブル帯域幅キャリアを介した前記データの前記適用例がボイスアプリケーションを含む、請求項６に記載の方法。
【請求項８】
前記チップレートディバイダが、前記フレキシブル帯域幅キャリアの帯域幅スケーリングファクタに等しい、請求項３に記載の方法。
【請求項９】
少なくともパンクチャリングプロセスまたは繰り返しプロセスを通してレートマッチング調整を適用すること
をさらに備える、請求項１に記載の方法。
【請求項１０】
少なくとも前記低減された拡散係数を補償するために送信電力を増加させること
をさらに備える、請求項１に記載の方法。
【請求項１１】
前記フレキシブル帯域幅キャリアのための前記データレートをさらに容易にするために送信時間間隔を判断すること
をさらに備える、請求項１に記載の方法。
【請求項１２】
フレキシブル帯域幅キャリアを介してデータを提供するように構成されたワイヤレス通信システムであって、
通常帯域幅キャリアを介したサービスのためのデータレートを識別するための手段と、
前記フレキシブル帯域幅キャリアを介したデータレートが、少なくとも前記通常帯域幅キャリアを介した前記識別されたデータレートであるように前記フレキシブル帯域幅キャリアのための低減された拡散係数を判断するための手段と、
前記フレキシブル帯域幅キャリアを介した前記データレートを達成するために前記低減された拡散係数を利用するための手段と
を備える、システム。
【請求項１３】
前記フレキシブル帯域幅キャリアの第１の無線フレームに第１のボイスフレームと第２のボイスフレームの一方または両方を適合させるための手段
をさらに備える、請求項１２に記載のワイヤレス通信システム。
【請求項１４】
前記低減された拡散係数を判断するための前記手段が、
前記フレキシブル帯域幅キャリアのチップレートディバイダで前記通常帯域幅キャリアの拡散係数を割るための手段
を備える、請求項１２に記載のワイヤレス通信システム。
【請求項１５】
前記フレキシブル帯域幅キャリアが、２または４に等しい帯域幅スケーリングファクタをもつフレキシブル帯域幅ＵＭＴＳキャリアを含む、請求項１３に記載のワイヤレス通信システム。
【請求項１６】
前記第１の無線フレームが拡張した無線フレームである、請求項１３に記載のワイヤレス通信システム。
【請求項１７】
前記フレキシブル帯域幅キャリアを介した前記データレートが、前記フレキシブル帯域幅キャリアを介した前記データの適用例に依存する、請求項１３に記載のワイヤレス通信システム。
【請求項１８】
前記フレキシブル帯域幅キャリアを介した前記データの前記適用例がボイスアプリケーションを含む、請求項１７に記載のワイヤレス通信システム。
【請求項１９】
前記チップレートディバイダが、前記フレキシブル帯域幅キャリアの帯域幅スケーリングファクタに等しい、請求項１４に記載のワイヤレス通信システム。
【請求項２０】
少なくともパンクチャリングプロセスまたは繰り返しプロセスを通してレートマッチング調整を適用するための手段
をさらに備える、請求項１２に記載のワイヤレス通信システム。
【請求項２１】
少なくとも前記低減された拡散係数を補償するために送信電力を増加させるための手段
をさらに備える、請求項１２に記載のワイヤレス通信システム。
【請求項２２】
前記フレキシブル帯域幅キャリアのための前記データレートをさらに容易にするために送信時間間隔を判断するための手段
をさらに備える、請求項１２に記載のワイヤレス通信システム。
【請求項２３】
コンピュータに、フレキシブル帯域幅キャリアを介してデータを提供させるためのプログラムを記憶しているコンピュータ可読記憶媒体であって、前記プログラムが、
通常帯域幅キャリアを介したサービスのためのデータレートを識別するためのコードと、
前記フレキシブル帯域幅キャリアを介したデータレートが、少なくとも前記通常帯域幅キャリアを介した前記識別されたデータレートであるように前記フレキシブル帯域幅キャリアのための低減された拡散係数を判断するためのコードと、
前記フレキシブル帯域幅キャリアを介した前記データレートを達成するために前記低減された拡散係数を利用するためのコードと
を備える、コンピュータ可読記憶媒体。
【請求項２４】
前記プログラムが、
前記フレキシブル帯域幅キャリアの第１の無線フレームに第１のボイスフレームと第２のボイスフレームの一方または両方を適合させるためのコード
をさらに備える、請求項２３に記載のコンピュータ可読記憶媒体。
【請求項２５】
前記低減された拡散係数を判断する前記コードが、
前記フレキシブル帯域幅キャリアのチップレートディバイダで前記通常帯域幅キャリアの拡散係数を割るためのコード
を備える、請求項２３に記載のコンピュータ可読記憶媒体。
【請求項２６】
前記フレキシブル帯域幅キャリアが、２または４に等しい帯域幅スケーリングファクタをもつフレキシブル帯域幅ＵＭＴＳキャリアを含む、請求項２４に記載のコンピュータ可読記憶媒体。
【請求項２７】
前記第１の無線フレームが拡張した無線フレームである、請求項２４に記載のコンピュータ可読記憶媒体。
【請求項２８】
前記フレキシブル帯域幅キャリアを介した前記データレートが、前記フレキシブル帯域幅キャリアを介した前記データの適用例に依存する、請求項２３に記載のコンピュータ可読記憶媒体。
【請求項２９】
前記フレキシブル帯域幅キャリアを介した前記データの前記適用例がボイスアプリケーションを含む、請求項２８に記載のコンピュータ可読記憶媒体。
【請求項３０】
前記チップレートディバイダが、前記フレキシブル帯域幅キャリアの帯域幅スケーリングファクタに等しい、請求項２５に記載のコンピュータ可読記憶媒体。
【請求項３１】
前記プログラムが、
少なくともパンクチャリングプロセスまたは繰り返しプロセスを通してレートマッチング調整を適用するためのコード
をさらに備える、請求項２３に記載コンピュータ可読記憶媒体。
【請求項３２】
前記プログラムが、
少なくとも前記低減された拡散係数を補償するために送信電力を増加させるためのコード
をさらに備える、請求項２３に記載のコンピュータ可読記憶媒体。
【請求項３３】
前記プログラムが、
前記フレキシブル帯域幅キャリアのための前記データレートをさらに容易にするために送信時間間隔を判断するためのコード
をさらに備える、請求項２３に記載のコンピュータ可読記憶媒体。
【請求項３４】
フレキシブル帯域幅キャリアを介してデータを提供するように構成されたワイヤレス通信デバイスであって、
通常帯域幅キャリアを介したサービスのためのデータレートを識別することと、
前記フレキシブル帯域幅キャリアを介したデータレートが、少なくとも前記通常帯域幅キャリアを介した前記識別されたデータレートであるように前記フレキシブル帯域幅キャリアのための低減された拡散係数を判断することと、
前記フレキシブル帯域幅キャリアを介した前記データレートを達成するために前記低減された拡散係数を利用することと
を行うように構成された少なくとも１つのプロセッサ
を備える、ワイヤレス通信デバイス。
【請求項３５】
前記少なくとも１つのプロセッサが、
前記フレキシブル帯域幅キャリアの第１の無線フレームに第１のボイスフレームと第２のボイスフレームの一方または両方を適合させること
を行うようにさらに構成された、請求項３４に記載のワイヤレス通信デバイス。
【請求項３６】
前記低減された拡散係数を判断するように構成された前記少なくとも１つのプロセッサが、
前記フレキシブル帯域幅キャリアのチップレートディバイダで前記通常帯域幅キャリアの拡散係数を割ること
を行うように構成された、請求項３４に記載のワイヤレス通信デバイス。
【請求項３７】
前記フレキシブル帯域幅キャリアが、２または４に等しい帯域幅スケーリングファクタをもつフレキシブル帯域幅ＵＭＴＳシステムを含む、請求項３５に記載のワイヤレス通信デバイス。
【請求項３８】
前記第１の無線フレームが拡張した無線フレームである、請求項３５に記載のワイヤレス通信デバイス。
【請求項３９】
前記フレキシブル帯域幅キャリアを介した前記データレートが、前記フレキシブル帯域幅キャリアを介した前記データの適用例に依存する、請求項３４に記載のワイヤレス通信デバイス。
【請求項４０】
前記フレキシブル帯域幅キャリアを介した前記データの前記適用例がボイスアプリケーションを含む、請求項３９に記載のワイヤレス通信デバイス。
【請求項４１】
前記チップレートディバイダが、前記フレキシブル帯域幅キャリアの帯域幅スケーリングファクタに等しい、請求項３６に記載のワイヤレス通信デバイス。
【請求項４２】
前記少なくとも１つのプロセッサが、
少なくともパンクチャリングプロセスまたは繰り返しプロセスを通してレートマッチング調整を適用すること
を行うようにさらに構成された、請求項３４に記載のワイヤレス通信デバイス。
【請求項４３】
前記少なくとも１つのプロセッサが、
少なくとも前記低減された拡散係数を補償するために送信電力を増加させること
を行うようにさらに構成された、請求項３４に記載のワイヤレス通信デバイス。
【請求項４４】
前記少なくとも１つのプロセッサが、
前記フレキシブル帯域幅キャリアのための前記データレートをさらに容易にするために送信時間間隔を判断すること
を行うようにさらに構成された、請求項３４に記載のワイヤレス通信デバイス。
【発明の詳細な説明】
【技術分野】
【０００１】
相互関連出願
[0001]本特許出願は、本出願の譲受人に譲渡され、すべての目的のために参照により本明細書に明確に組み込まれる、２０１１年１２月９日に出願された「ＳＩＧＮＡＬ  ＣＡＰＡＣＩＴＹ  ＢＯＯＳＴＩＮＧ，  ＣＯＯＲＤＩＮＡＴＥＤ  ＦＯＲＷＡＲＤ  ＬＩＮＫ  ＢＬＡＮＫＩＮＧ  ＡＮＤ  ＰＯＷＥＲ  ＢＯＯＳＴＩＮＧ，  ＡＮＤ  ＲＥＶＥＲＳＥ  ＬＩＮＫ  ＴＨＲＯＵＧＨＰＵＴ  ＩＮＣＲＥＡＳＩＮＧ  ＦＯＲ  ＦＬＥＸＩＢＬＥ  ＢＡＮＤＷＩＤＴＨ  ＳＹＳＴＥＭＳ」と題する仮出願第６１／５６８，７４２号に対する優先権を主張する。本特許出願はまた、本出願の譲受人に譲渡され、すべての目的のために参照により本明細書に明確に組み込まれる、２０１２年６月１１日に出願された「ＳＵＰＰＯＲＴ  ＦＯＲ  ＶＯＩＣＥ  ＯＶＥＲ  ＦＬＥＸＩＢＬＥ  ＢＡＮＤＷＩＤＴＨ  ＳＹＳＴＥＭＳ」と題する仮出願第６１／６５８，２７０号に対する優先権を主張する。
【背景技術】
【０００２】
[0002]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ：Long Term Evolution）システム、および直交周波数分割多元接続（ＯＦＤＭＡ）システムがある。
【０００３】
[0003]サービスプロバイダは、一般に、いくつかの地理的領域において排他的に使用するための周波数スペクトルのブロックを割り振られる。周波数のこれらのブロックは、概して、複数のアクセス技術が使用されていることにかかわらず調整器によって割り当てられる。たいていの場合、これらのブロックは、チャネル帯域幅の整数倍でなく、したがって、スペクトルの利用されない部分があり得る。ワイヤレスデバイスの使用が増加するにつれて、概して、このスペクトルに対する需要とこのスペクトルの値とが同様に増加した。とはいえ、場合によっては、ワイヤレス通信システムは、割り当てられたスペクトルの部分が標準波形または通常波形を適合させるのに十分大きくないので、その部分を利用しないことがある。ＬＴＥ規格の開発者は、たとえば、その問題を認識し、多くの異なるシステム帯域幅（たとえば、１．４、３、５、１０、１５および２０ＭＨｚ）をサポートすることを決定した。これは、その問題の部分的解決を提供し得る。フレキシブル帯域幅キャリア（flexible bandwidth carriers）は、これらの問題の別の解決策を提供し得る。しかしながら、いくつかのタイプのボイスサービスおよび他の対話型アプリケーションは遅延敏感であり得、フレキシブル帯域幅キャリアを利用するとき、失われたデータの再送信なしにあるデータレートおよび／またはあるサービス品質を提供することが望ましいことがある。
【発明の概要】
【０００４】
[0004]ボイスサービスなど、様々なサービスとともにフレキシブル帯域幅キャリアを利用するための方法、システム、およびデバイスが提供される。いくつかの実施形態は、回線交換（ＣＳ：Circuit Switched）ボイスオーバーフレキシブル帯域幅キャリアのサポートを提供する。たとえば、いくつかの実施形態は、フレキシブル帯域幅キャリアを介して、ボイスサービスの一部としてのボイスデータなどのデータを送信するサポートを提供する。通常帯域幅キャリア（normal bandwidth carrier）のためのデータレートが識別され得る。フレキシブル帯域幅キャリアのための低減された拡散係数（spreading factor）は、フレキシブル帯域幅キャリアのためのデータレートが、少なくとも通常帯域幅キャリアのための識別されたデータレートを達成し得るように判断され得る。低減された拡散係数は、フレキシブル帯域幅キャリアのためのデータレートを達成するために利用され得る。
【０００５】
[0005]たとえば、フレキシブル帯域幅ＵＭＴＳ（Ｆ−ＵＭＴＳ）において、時間は、低帯域幅信号を達成する手段として通常波形（normal waveform）に対してスケーリングされ得る。その結果、Ｆ−ＵＭＴＳにおけるチップレートは、通常ＵＭＴＳにおけるチップレートに対して減少され得、したがって、チップ持続時間は同じファクタで増加または拡張される。Ｆ−ＵＭＴＳでは、時間の遅れ（time dilation）、チップ持続時間、スロット持続時間、フレーム持続時間、サブフレーム持続時間、無線フレーム持続時間により、ＴＴＩは、Ｄｃｒのファクタで拡張され（get dilated）得、Ｄｃｒは、Ｆ−ＵＭＴＳのために使用されるチップレートディバイダ（divider）である。その結果、ＵＭＴＳにおけるＡＭＲボイスサービスのための現在の物理レイヤ構成は、たとえば、必要とされるデータレートをもはや満たすことができない。いくつかの実施形態はこれらの問題に対処する。
【０００６】
[0006]いくつかの実施形態は、特に、１２．２ｋｂｐｓおよび／または７．９５ｋｂｐｓの適応マルチレート（ＡＭＲ：Adaptive Multi-Rate）ＣＳボイスオーバーフレキシブル帯域幅ユニバーサルモバイルテレコミュニケーションシステム（Ｆ−ＵＭＴＳ：flexible bandwidth Universal Mobile Telecommunication System）のサポートを含む。Ｆ−ＵＭＴＳにおけるＣＳボイスをサポートするいくつかの実施形態は、レガシーＵＭＴＳにおいて使用されるのと同じボコーダ（vocoder）を使用し、限定はしないが、Ｆ−ＵＭＴＳにおいてチップレートディバイダ（Ｄｃｒ：chip rate divider）のファクタでスケールダウンされ得るデータレート、Ｆ−ＵＭＴＳにおける送信時間間隔（ＴＴＩ：transmission time interval）スケーリングにより導入され得る追加の遅延、および／またはＦ−ＵＭＴＳにおいて１５００／Ｄｃｒ  Ｈｚにスケールダウンされ得る送信電力制御（ＴＰＣ：Transmit Power Control）レートを含む様々な問題に対処し得る。チップレートディバイダは、フレキシブル帯域幅キャリアのための帯域幅スケーリングファクタ（すなわち、Ｎ）に等しくなり得る。
【０００７】
[0007]いくつかの実施形態は、フレキシブル帯域幅キャリアのための情報データレートを通常帯域幅キャリアの情報データレートと同じに保つことを通してボイス品質を維持する。たとえば、１つのボイスフレームは、Ｆ−ＵＭＴＳにおけるＮまたはＤｃｒにかかわらず、送信時に２０ｍｓの時間ウィンドウに依然としてマッピングされ得る。Ｎ＝２のＦ−ＵＭＴＳの場合の１２．２ｋｂｐｓのＡＭＲについて、いくつかの実施形態は、通常ＵＭＴＳに対してダウンリンク（ＤＬ）および／またはアップリンク（ＵＬ）の両方でのＤｃｒ＝２での拡散係数低減、シグナリング無線ベアラ（Signaling Radio Bearers）（ＳＲＢ）について、４つの専用制御チャネル（ＤＣＣＨ、すなわち、論理チャネル）が、２０×Ｄｃｒ（すなわち、２０×２）ｍｓ＝４０ｍｓのＴＴＩを使用して１つの専用トランスポートチャネル（ＤＣＨ、すなわち、トランスポートチャネル）にマッピングされること、および無線アクセスベアラ（ＲＡＢ）について、３つの専用トラフィックチャネル（ＤＴＣＨ、すなわち、論理チャネル）が、１０×Ｄｃｒ（すなわち１０×２）ｍｓ＝２０ｍｓのＴＴＩを使用して３つのＤＣＨ（トランスポートチャネル）にマッピングされること、というボイス品質を維持することができる方式を利用する。Ｎ＝４のＦ−ＵＭＴＳの場合の１２．２ｋｂｐｓのＡＭＲについて、いくつかの実施形態は、ボイス品質を維持するために、ＤＬとＵＬの両方でのＤｃｒでの拡散係数低減およびレートマッチング調整（rate matching tuning）、４つのＳＲＢ→４つのＤＣＣＨ→１０×Ｄｃｒ（すなわち、１０×４）ｍｓ＝４０ｍｓのＴＴＩを使用する１つのＤＣＨ、および／または１つのＲＡＢ→３つのＤＴＣＨ→１０×Ｄｃｒ（すなわち、１０×４）ｍｓ＝４０ｍｓのＴＴＩを使用する３つのＤＣＨという方式を利用する。７．９５ｋｂｐｓのＡＭＲについて、同様の実施形態が利用され得る。それぞれのＦ−ＵＭＴＳシステムのための拡散係数は、２０ｍｓ当たりのチャネルビット数が変化し得ないように、Ｄｃｒで通常帯域幅キャリアのための拡散係数を割ること（dividing）によって低減され得る。これらの方式は、モバイルデバイス（たとえば、ＵＥ）および／または基地局（たとえば、ノードＢ）の両方に適用され得る。
【０００８】
[0008]フレキシブル帯域幅キャリアは、フレキシブル波形（flexible waveforms）を利用する、通常波形を適合させるのに十分大きくないことがあるスペクトルの部分を利用し得るワイヤレス通信システムに関与し（involve）得る。フレキシブル帯域幅キャリアは、通常キャリア帯域幅システムに対するフレキシブル帯域幅キャリアの時間またはチップレートを拡張（dilating）またはスケールダウンすることを通して、通常キャリア帯域幅システムに関して生成され得る。いくつかの実施形態は、フレキシブルキャリア帯域幅システムの時間またはチップレートを拡張またはスケールアップすることを通してフレキシブル波形の帯域幅を増加させる。
【０００９】
[0009]いくつかの実施形態は、フレキシブル帯域幅キャリアを介してデータを提供するための方法を含む。本方法は、通常帯域幅キャリアを介したサービスのためのデータレートを識別すること、フレキシブル帯域幅キャリアを介したデータレートが、少なくとも通常帯域幅キャリアを介した識別されたデータレートを達成するようにフレキシブル帯域幅キャリアのための低減された拡散係数を判断すること、および／またはフレキシブル帯域幅キャリアを介したデータレートを達成するために低減された拡散係数を利用することを含み得る。
【００１０】
[0010]本方法のいくつかの実施形態は、フレキシブル帯域幅キャリアの第１の無線フレームに第１のボイスフレームと第２のボイスフレームの一方または両方を適合させることを含む。フレキシブル帯域幅キャリアは、２または４に等しい帯域幅スケーリングファクタをもつフレキシブル帯域幅ＵＭＴＳキャリアを含み得る。第１の無線フレームは拡張した（dilated）無線フレームであり得る。
【００１１】
[0011]いくつかの実施形態では、フレキシブル帯域幅キャリアを介したデータレートは、フレキシブル帯域幅キャリアを介したデータの適用例に依存する。フレキシブル帯域幅キャリアを介したデータの適用例はボイスアプリケーションを含み得る。
【００１２】
[0012]低減された拡散係数を判断することは、フレキシブル帯域幅キャリアのチップレートディバイダで通常帯域幅キャリアの拡散係数を割ることを含み得る。チップレートディバイダは、フレキシブル帯域幅キャリアの帯域幅スケーリングファクタに等しくなり得る。
【００１３】
[0013]本方法のいくつかの実施形態は、少なくともパンクチャリングプロセス（puncturing process）または繰り返しプロセス（repetition process）を通してレートマッチング調整を適用することを含む。いくつかの実施形態は、少なくとも低減された拡散係数を補償するために送信電力を増加させることを含む。いくつかの実施形態は、フレキシブル帯域幅キャリアのためのデータレートをさらに容易にする（facilitate）ために送信時間間隔（Transmission Time Interval）を判断することを含む。
【００１４】
[0014]いくつかの実施形態は、フレキシブル帯域幅キャリアを介してデータを提供するように構成されたワイヤレス通信システムを含む。本システムは、通常帯域幅キャリアを介したサービスのためのデータレートを識別するための手段、フレキシブル帯域幅キャリアを介したデータレートが、少なくとも通常帯域幅キャリアを介した識別されたデータレートであるようにフレキシブル帯域幅キャリアのための低減された拡散係数を判断するための手段、および／またはフレキシブル帯域幅キャリアを介したデータレートを達成するために低減された拡散係数を利用するための手段を含み得る。
【００１５】
[0015]本システムのいくつかの実施形態は、フレキシブル帯域幅キャリアの第１の無線フレームに第１のボイスフレームと第２のボイスフレームの一方または両方を適合させるための手段を含む。フレキシブル帯域幅キャリアは、２または４に等しい帯域幅スケーリングファクタをもつフレキシブル帯域幅ＵＭＴＳキャリアを含み得る。第１の無線フレームは拡張した無線フレームを含み得る。
【００１６】
[0016]いくつかの実施形態では、低減された拡散係数を判断するための手段は、フレキシブル帯域幅キャリアのチップレートディバイダで通常帯域幅キャリアの拡散係数を割るための手段を含む。チップレートディバイダは、フレキシブル帯域幅キャリアの帯域幅スケーリングファクタに等しくなり得る。
【００１７】
[0017]いくつかの実施形態では、フレキシブル帯域幅キャリアを介したデータレートは、フレキシブル帯域幅キャリアを介したデータの適用例に依存する。フレキシブル帯域幅キャリアを介したデータの適用例はボイスアプリケーションを含み得る。
【００１８】
[0018]本システムのいくつかの実施形態は、少なくともパンクチャリングプロセスまたは繰り返しプロセスを通してレートマッチング調整を適用するための手段を含む。いくつかの実施形態は、少なくとも低減された拡散係数を補償するために送信電力を増加させるための手段を含む。いくつかの実施形態は、フレキシブル帯域幅キャリアのためのデータレートをさらに容易にするために送信時間間隔を判断するための手段を含む。
【００１９】
[0019]いくつかの実施形態は、通常帯域幅キャリアを介したサービスのためのデータレートを識別するためのコード、フレキシブル帯域幅キャリアを介したデータレートが、少なくとも通常帯域幅キャリアを介した識別されたデータレートであるようにフレキシブル帯域幅キャリアのための低減された拡散係数を判断するためのコード、および／またはフレキシブル帯域幅キャリアを介したデータレートを達成するために低減された拡散係数を利用するためのコードを含み得る非一時的コンピュータ可読媒体を含み得る、フレキシブル帯域幅キャリアを介してデータを提供するためのコンピュータプログラム製品を含む。
【００２０】
[0020]いくつかの実施形態では、非一時的コンピュータ可読媒体は、フレキシブル帯域幅キャリアの第１の無線フレームに第１のボイスフレームと第２のボイスフレームの一方または両方を適合させるためのコードを含む。フレキシブル帯域幅キャリアは、２または４に等しい帯域幅スケーリングファクタをもつフレキシブル帯域幅ＵＭＴＳキャリアを含み得る。第１の無線フレームは拡張した無線フレームであり得る。
【００２１】
[0021]低減された拡散係数を判断するためのコードは、フレキシブル帯域幅キャリアのチップレートディバイダで通常帯域幅キャリアの拡散係数を割るためのコードを含み得る。チップレートディバイダは、フレキシブル帯域幅キャリアの帯域幅スケーリングファクタに等しくなり得る。
【００２２】
[0022]いくつかの実施形態では、フレキシブル帯域幅キャリアを介したデータレートは、フレキシブル帯域幅キャリアを介したデータの適用例に依存する。フレキシブル帯域幅キャリアを介したデータの適用例はボイスアプリケーションを含み得る。
【００２３】
[0023]いくつかの実施形態では、非一時的コンピュータ可読媒体は、少なくともパンクチャリングプロセスまたは繰り返しプロセスを通してレートマッチング調整を適用するためのコードを含む。非一時的コンピュータ可読媒体は、少なくとも低減された拡散係数を補償するために送信電力を増加させるためのコードを含み得る。非一時的コンピュータ可読媒体は、フレキシブル帯域幅キャリアのためのデータレートをさらに容易にするために送信時間間隔を判断するためのコードを含み得る。
【００２４】
[0024]いくつかの実施形態は、フレキシブル帯域幅キャリアを介してデータを提供するように構成されたワイヤレス通信デバイスを含む。本デバイスは、通常帯域幅キャリアを介したサービスのためのデータレートを識別すること、フレキシブル帯域幅キャリアを介したデータレートが、少なくとも通常帯域幅キャリアを介した識別されたデータレートであるようにフレキシブル帯域幅キャリアのための低減された拡散係数を判断すること、および／またはフレキシブル帯域幅キャリアを介したデータレートを達成するために低減された拡散係数を利用することを行うように構成され得る少なくとも１つのプロセッサを含み得る。
【００２５】
[0025]いくつかの実施形態では、少なくとも１つのプロセッサは、フレキシブル帯域幅キャリアの第１の無線フレームに第１のボイスフレームと第２のボイスフレームの一方または両方を適合させるようにさらに構成される。フレキシブル帯域幅キャリアは、２または４に等しい帯域幅スケーリングファクタをもつフレキシブル帯域幅ＵＭＴＳシステムを含み得る。第１の無線フレームは拡張した無線フレームであり得る。
【００２６】
[0026]低減された拡散係数を判断するように構成された少なくとも１つのプロセッサは、フレキシブル帯域幅キャリアのチップレートディバイダで通常帯域幅キャリアの拡散係数を割るように構成され得る。チップレートディバイダは、フレキシブル帯域幅キャリアの帯域幅スケーリングファクタに等しくなり得る。
【００２７】
[0027]いくつかの実施形態では、フレキシブル帯域幅キャリアを介したデータレートは、フレキシブル帯域幅キャリアを介したデータの適用例に依存する。フレキシブル帯域幅キャリアを介したデータの適用例はボイスアプリケーションを含み得る。
【００２８】
[0028]いくつかの実施形態では、少なくとも１つのプロセッサは、少なくともパンクチャリングプロセスまたは繰り返しプロセスを通してレートマッチング調整を適用するようにさらに構成される。いくつかの実施形態では、少なくとも１つのプロセッサは、少なくとも低減された拡散係数を補償するために送信電力を増加させるようにさらに構成される。いくつかの実施形態では、少なくとも１つのプロセッサは、フレキシブル帯域幅キャリアのためのデータレートをさらに容易にするために送信時間間隔を判断するようにさらに構成される。
【００２９】
[0029]上記では、以下の詳細な説明がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。本明細書で開示する概念を特徴づけると考えられる特徴は、それらの編成と動作方法の両方に関して、関連する利点とともに、添付の図に関連して以下の説明を検討するとより良く理解されよう。図の各々は、例示および説明のみの目的で提供され、特許請求の範囲を定めるものではない。
【００３０】
[0030]以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれにも適用可能である。
【図面の簡単な説明】
【００３１】
【図１】様々な実施形態による、ワイヤレス通信システムのブロック図。
【図２Ａ】様々な実施形態による、フレキシブル波形が、通常波形を適合させるのに十分広くないスペクトルの一部分に適合する、ワイヤレス通信システムの一例を示す図。
【図２Ｂ】様々な実施形態による、フレキシブル波形が、帯域のエッジの近くのスペクトルの一部分に適合する、ワイヤレス通信システムの一例を示す図。
【図３】様々な実施形態による、ワイヤレス通信システムのブロック図。
【図４Ａ】様々な実施形態による、フレキシブル帯域幅キャリアを介してボイスサービスの一部としてのボイスデータなどのデータを提供するように構成されたデバイスのブロック図。
【図４Ｂ】様々な実施形態による、フレキシブル帯域幅キャリアを介してボイスサービスの一部としてのボイスデータなどのデータを提供するように構成されたデバイスのブロック図。
【図５】様々な実施形態による、Ｎ＝２のＦ−ＵＭＴＳにおけるＡＭＲ  ＤＬ：１２．２ｋｂｐｓのＲＡＢ＋ＤＬ：３．４ｋｂｐｓのＳＲＢのためのトランスポートチャネルプロシージャを示す図。
【図６】様々な実施形態による、Ｎ＝２のＦ−ＵＭＴＳにおけるＡＭＲ  ＤＬ：１２．２ｋｂｐｓのＲＡＢ＋ＤＬ：３．４ｋｂｐｓのＳＲＢのための、トランスポートチャネル（ＴｒＣＨ：transport channel）の多重化と、トランスポートチャネルの物理チャネルへのマッピングとの図。
【図７】様々な実施形態による、Ｎ＝４のＦ−ＵＭＴＳにおけるＡＭＲ  ＤＬ：１２．２ｋｂｐｓのＲＡＢ＋ＤＬ：３．４ｋｂｐｓのＳＲＢのためのトランスポートチャネルプロシージャを示す図。
【図８】様々な実施形態による、Ｎ＝４のＦ−ＵＭＴＳにおけるＡＭＲ  ＤＬ：１２．２ｋｂｐｓのＲＡＢ＋ＤＬ：３．４ｋｂｐｓのＳＲＢのための、トランスポートチャネルの多重化と、トランスポートチャネルの物理チャネルへのマッピングとの図。
【図９】様々な実施形態による、ワイヤレス通信システムのブロック図。
【図１０】様々な実施形態による、モバイルデバイスのブロック図。
【図１１】様々な実施形態による、基地局とモバイルデバイスとを含むワイヤレス通信システムのブロック図。
【図１２Ａ】様々な実施形態による、フレキシブル帯域幅キャリアを介してボイスサービスのためのボイスデータなどのデータを提供するための方法の流れ図。
【図１２Ｂ】様々な実施形態による、フレキシブル帯域幅キャリアを介してボイスサービスのためのボイスデータなどのデータを提供するための方法の流れ図。
【図１２Ｃ】様々な実施形態による、フレキシブル帯域幅キャリアを介してボイスサービスのためのボイスデータなどのデータを提供するための方法の流れ図。
【詳細な説明】
【００３２】
[0047]ボイスサービスなど、様々なサービスとともにフレキシブル帯域幅キャリアを利用するための方法、システム、およびデバイスが提供される。いくつかの実施形態は、回線交換（ＣＳ）ボイスオーバーフレキシブル帯域幅キャリアのサポートを提供する。たとえば、いくつかの実施形態は、フレキシブル帯域幅キャリアを介して、ボイスサービスの一部としてのボイスデータなどのデータを送信するサポートを提供する。通常帯域幅キャリアを介したデータレートが識別され得る。フレキシブル帯域幅キャリアを介したボイスサービスのための低減された拡散係数は、フレキシブル帯域幅キャリアのためのデータレートが、少なくとも通常帯域幅キャリアのための識別されたデータレートを達成し得るように判断され得る。低減された拡散係数は、フレキシブル帯域幅キャリアのためのデータレートを達成するために利用され得る。
【００３３】
[0048]たとえば、フレキシブル帯域幅ＵＭＴＳ（Ｆ−ＵＭＴＳ）において、時間は、低帯域幅信号を達成する手段として通常波形に対してスケーリングされ得る。その結果、Ｆ−ＵＭＴＳにおけるチップレートは、通常ＵＭＴＳにおけるチップレートに対して減少され得、したがって、チップ持続時間は同じファクタで増加または拡張される。Ｆ−ＵＭＴＳでは、時間の遅れ、チップ持続時間、スロット持続時間、フレーム持続時間、サブフレーム持続時間、無線フレーム持続時間により、ＴＴＩは、Ｄｃｒのファクタで拡張され得、Ｄｃｒは、Ｆ−ＵＭＴＳのために使用されるチップレートディバイダである。その結果、ＵＭＴＳにおけるＡＭＲボイスサービスのための現在の物理レイヤ構成は、たとえば、必要とされるデータレートをもはや満たすことができない。その結果、ＵＭＴＳにおけるＡＭＲボイスサービスのための現在の物理レイヤ構成は、たとえば、必要とされるデータレートをもはや満たすことができない。いくつかの実施形態はこれらの問題に対処する。
【００３４】
[0049]いくつかの実施形態は、特に、１２．２ｋｂｐｓおよび／または７．９５ｋｂｐｓの適応マルチレート（ＡＭＲ）ＣＳボイスオーバーフレキシブル帯域幅ユニバーサルモバイルテレコミュニケーションシステム（Ｆ−ＵＭＴＳ）のサポートを含む。いくつかの実施形態は、５．９ｋｂｐｓなどの他のＡＲＭレートのサポートを提供する。Ｆ−ＵＭＴＳにおけるＣＳボイスをサポートするいくつかの実施形態は、レガシーＵＭＴＳにおいて使用されるのと同じボコーダを使用し、限定はしないが、Ｆ−ＵＭＴＳにおいてチップレートディバイダ（Ｄｃｒ）のファクタでスケールダウンされ得るデータレート、Ｆ−ＵＭＴＳにおける送信時間間隔（ＴＴＩ）スケーリングにより導入され得る追加の遅延、および／またはＦ−ＵＭＴＳにおいて１５００／Ｄｃｒ  Ｈｚにスケールダウンされ得る送信電力制御（ＴＰＣ）レートを含む様々な問題に対処し得る。チップレートディバイダは、フレキシブル帯域幅キャリアのための帯域幅スケーリングファクタ（すなわち、Ｎ）に等しくなり得る。
【００３５】
[0050]いくつかの実施形態は、フレキシブル帯域幅キャリアのための情報データレートを通常帯域幅キャリアの情報データレートと同じに保つことを通してボイス品質を維持する。たとえば、１つのボイスフレームは、Ｆ−ＵＭＴＳにおけるＮまたはＤｃｒにかかわらず、送信時に２０ｍｓの時間ウィンドウに依然としてマッピングされ得る。Ｎ＝２のＦ−ＵＭＴＳの場合の１２．２ｋｂｐｓのＡＭＲについて、いくつかの実施形態は、通常ＵＭＴＳに対してダウンリンク（ＤＬ）および／またはアップリンク（ＵＬ）の両方でのＤｃｒ＝２での拡散係数低減、シグナリング無線ベアラ（ＳＲＢ）について、４つの専用制御チャネル（ＤＣＣＨ、すなわち、論理チャネル）が、２０×Ｄｃｒ（すなわち、２０×２）ｍｓ＝４０ｍｓのＴＴＩを使用して１つの専用トランスポートチャネル（ＤＣＨ、すなわち、トランスポートチャネル）にマッピングされること、無線アクセスベアラ（ＲＡＢ）について、３つの専用トラフィックチャネル（ＤＴＣＨ、すなわち、論理チャネル）が、１０×Ｄｃｒ（すなわち１０×２）ｍｓ＝２０ｍｓのＴＴＩを使用して３つのＤＣＨ（トランスポートチャネル）にマッピングされること、というボイス品質を維持することができる方式を利用する。Ｎ＝４のＦ−ＵＭＴＳの場合の１２．２ｋｂｐｓのＡＭＲについて、いくつかの実施形態は、ボイス品質を維持するために、ＤＬとＵＬの両方でのＤｃｒでの拡散率低減およびレートマッチング調整、４つのＳＲＢ→４つのＤＣＣＨ→１０×Ｄｃｒ（すなわち、１０×４）ｍｓ＝４０ｍｓのＴＴＩを使用する１つのＤＣＨ、および／または１つのＲＡＢ→３つのＤＴＣＨ→１０×Ｄｃｒ（すなわち、１０×４）ｍｓ＝４０ｍｓのＴＴＩを使用する３つのＤＣＨという方式を利用する。７．９５ｋｂｐｓのＡＭＲについて、同様の実施形態が利用され得る。それぞれのＦ−ＵＭＴＳシステムのための拡散係数は、２０ｍｓ当たりのチャネルビット数が変化し得ないように、Ｄｃｒで通常帯域幅キャリアのための拡散係数を割ることによって低減され得る。これらの方式は、モバイルデバイス（たとえば、ＵＥ）および／または基地局（たとえば、ノードＢ）の両方に適用され得る。
【００３６】
[0051]本明細書で説明する技法は、ＣＤＭＡ、ＴＤＭＡ、ＦＤＭＡ、ＯＦＤＭＡ、ＳＣ−ＦＤＭＡ、ピアツーピア、および他のシステムなど、様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡまたはＯＦＤＭシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ）、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、上記のシステムおよび無線技術、ならびに他のシステムおよび無線技術に使用され得る。
【００３７】
[0052]したがって、以下の説明は、例を提供するものであり、特許請求の範囲において記載される範囲、適用性、または構成を限定するものではない。本開示の趣旨および範囲から逸脱することなく、説明する要素の機能および構成において変更が行われ得る。様々な実施形態は、適宜に様々な手順または構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００３８】
[0053]最初に図１を参照すると、ブロック図は、様々な実施形態による、ワイヤレス通信システム１００の一例を示す。システム１００は、基地局１０５と、モバイルデバイス１１５と、基地局コントローラ１２０と、コアネットワーク１３０とを含む（いくつかの実施形態では、コントローラ１２０はコアネットワーク１３０に組み込まれ得、いくつかの実施形態では、コントローラ１２０は基地局１０５に組み込まれ得る）。システム１００は、複数のキャリア（異なる周波数の波形信号）上での動作をサポートし得る。マルチキャリア送信機は、複数のキャリア上で同時に被変調信号を送信することができる。各被変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、シングルキャリアＦＤＭＡ（ＳＣ−ＦＤＭＡ）信号などであり得る。各被変調信号は、異なるキャリア上で送られ得、制御情報（たとえば、パイロット信号）、オーバーヘッド情報、データなどを搬送し得る。システム１００は、ネットワークリソースを効率的に割り振ることが可能なマルチキャリアＬＴＥネットワークであり得る。
【００３９】
[0054]モバイルデバイス１１５は、任意のタイプの移動局、モバイルデバイス、アクセス端末、加入者ユニット、またはユーザ機器であり得る。モバイルデバイス１１５は、セルラーフォンとワイヤレス通信デバイスとを含み得るが、携帯情報端末（ＰＤＡ）、スマートフォン、他のハンドヘルドデバイス、ネットブック、ノートブックコンピュータなどをも含み得る。したがって、モバイルデバイスという用語は、特許請求の範囲を含めて、以下で、任意のタイプのワイヤレスまたはモバイルの通信デバイスを含むものと広く解釈されたい。
【００４０】
[0055]基地局１０５は、基地局アンテナを介してモバイルデバイス１１５とワイヤレス通信し得る。基地局１０５は、複数のキャリアを介してコントローラ１２０の制御下でモバイルデバイス１１５と通信するように構成され得る。基地局１０５のサイトの各々は、それぞれの地理的エリアに通信カバレージを提供することができる。いくつかの実施形態では、基地局１０５は、ノードＢ、ｅノードＢ、ホームノードＢ、および／またはホームｅノードＢと呼ばれることがある。各基地局１０５のためのカバレージエリアは、ここでは、１１０−ａ、１１０−ｂ、または１１０−ｃとして識別される。基地局のカバレージエリアは、（図示しないが、カバレージエリアの一部分のみを構成する）セクタに分割され得る。システム１００は、異なるタイプの基地局１０５（たとえば、マクロ基地局、マイクロ基地局、フェムト基地局、および／またはピコ基地局）を含み得る。
【００４１】
[0056]モバイルデバイス１１５、基地局１０５、コアネットワーク１３０、および／またはコントローラ１２０など、システム１００の異なる態様は、様々な実施形態によれば、フレキシブル帯域幅とフレキシブル波形とを利用するように構成され得る。システム１００は、たとえば、モバイルデバイス１１５と基地局１０５との間の送信１２５を示す。送信１２５は、モバイルデバイス１１５から基地局１０５へのアップリンクおよび／または逆方向リンク送信、ならびに／あるいは基地局１０５からモバイルデバイス１１５へのダウンリンクおよび／または順方向リンク送信を含み得る。送信１２５はフレキシブル波形および／または通常波形を含み得る。通常波形はレガシー波形および／または通常波形と呼ばれることもある。
【００４２】
[0057]モバイルデバイス１１５、基地局１０５、コアネットワーク１３０、および／またはコントローラ１２０など、システム１００の異なる態様は、様々な実施形態によれば、フレキシブル帯域幅とフレキシブル波形とを利用するように構成され得る。たとえば、システム１００の異なる態様は、通常波形を適合させるのに十分大きくないことがあるスペクトルの部分を利用し得る。モバイルデバイス１１５、基地局１０５、コアネットワーク１３０、および／またはコントローラ１２０などのデバイスは、フレキシブル帯域幅および／またはフレキシブル波形を生成および／または利用するためにチップレートおよび／またはスケーリングファクタを適応させるように構成され得る。（いくつかのモバイルデバイス１１５および／または基地局１０５など）システム１００のいくつかの態様は、通常サブシステムの時間に関してフレキシブルサブシステムの時間を拡張することあるいはスケールダウンすることによって、（他のモバイルデバイス１１５および／または基地局１０５を使用して実装され得る）通常サブシステムに関して生成され得るフレキシブルサブシステムを形成し得る。
【００４３】
[0058]いくつかの実施形態では、モバイルデバイス１１５、基地局１０５、コアネットワーク１３０、および／またはコントローラ１２０など、システム１００の異なる態様は、ボイスサービスなど、様々なサービスとともにフレキシブル帯域幅キャリアを利用するように構成され得る。いくつかの実施形態は、特に、回線交換（ＣＳ）ボイスオーバーフレキシブル帯域幅キャリアのサポートを提供する。たとえば、モバイルデバイス１１５、基地局１０５、コアネットワーク１３０、および／またはコントローラ１２０など、システム１００の異なる態様は、フレキシブル帯域幅キャリアを介して、ボイスサービスの一部としてのボイスデータなどのデータを送信するサポートを提供するように構成され得る。通常帯域幅キャリアのためのデータレートが識別され得る。フレキシブル帯域幅キャリアを介したベアラのための低減された拡散係数は、フレキシブル帯域幅キャリアのためのデータレートが、少なくとも通常帯域幅キャリアのための識別されたデータレートを達成し得るように判断され得る。低減された拡散係数は、フレキシブル帯域幅キャリアを介したデータレートを達成するために利用され得る。
【００４４】
[0059]いくつかの実施形態では、モバイルデバイス１１５、基地局１０５、コアネットワーク１３０、および／またはコントローラ１２０など、システム１００の異なる態様は、１つのボイスフレームが、Ｆ−ＵＭＴＳにおけるＮまたはＤｃｒにかかわらず、送信時に２０ｍｓの時間ウィンドウに依然としてマッピングされ得るように構成され得る。Ｎ＝２のＦ−ＵＭＴＳの場合の１２．２ｋｂｐｓのＡＭＲについて、いくつかの実施形態は、通常ＵＭＴＳに対してダウンリンク（ＤＬ）および／またはアップリンク（ＵＬ）の両方でのＤｃｒ＝２での拡散係数低減、シグナリング無線ベアラ（ＳＲＢ）について、４つの専用制御チャネル（ＤＣＣＨ、すなわち、論理チャネル）が、２０×Ｄｃｒ（すなわち、２０×２）ｍｓ＝４０ｍｓのＴＴＩを使用して１つの専用トランスポートチャネル（ＤＣＨ、すなわち、トランスポートチャネル）にマッピングされること、無線アクセスベアラ（ＲＡＢ）について、３つの専用トラフィックチャネル（ＤＴＣＨ、すなわち、論理チャネル）が、１０×Ｄｃｒ（すなわち１０×２）ｍｓ＝２０ｍｓのＴＴＩを使用して３つのＤＣＨ（トランスポートチャネル）にマッピングされること、というボイス品質を維持することができる方式を利用する。Ｎ＝４のＦ−ＵＭＴＳの場合の１２．２ｋｂｐｓのＡＭＲについて、いくつかの実施形態は、ボイス品質を維持するために、ＤＬとＵＬの両方でのＤｃｒでの拡散係数低減およびレートマッチング調整、４つのＳＲＢ→４つのＤＣＣＨ→１０×Ｄｃｒ（すなわち、１０×４）ｍｓ＝４０ｍｓのＴＴＩを使用する１つのＤＣＨ、および／または１つのＲＡＢ→３つのＤＴＣＨ→１０×Ｄｃｒ（すなわち、１０×４）ｍｓ＝４０ｍｓのＴＴＩを使用する３つのＤＣＨという方式を利用する。７．９５ｋｂｐｓのＡＭＲについて、同様の実施形態が利用され得る。それぞれのＦ−ＵＭＴＳシステムのための拡散係数は、２０ｍｓ当たりのチャネルビット数が変化し得ないように、Ｄｃｒで通常帯域幅キャリアのための拡散係数を割ることによって低減され得る。これらの方式は、モバイルデバイス１１５、基地局１０５、コアネットワーク１３０、および／またはコントローラ１２０など、システム１００の異なる態様によって適用され得る。
【００４５】
[0060]いくつかの実施形態では、モバイルデバイス１１５、基地局１０５、コアネットワーク１３０、および／またはコントローラ１２０など、システム１００の異なる態様は、通常帯域幅キャリアのためのデータレートを識別するように構成され得る。フレキシブルな帯域幅キャリアのスケーリングファクタが識別され得る。いくつかの実施形態では、低減された拡散係数は、フレキシブル帯域幅キャリアのデータレートが通常帯域幅キャリアのためのデータレートと同じであるように、フレキシブル帯域幅キャリアについて判断され得る。低減された拡散係数を判断することは、チップレートディバイダで通常帯域幅キャリアの拡散係数を割ることを含み得る。チップレートディバイダは、フレキシブル帯域幅キャリアのスケーリングファクタに等しくなり得る。いくつかの実施形態は、第１の無線フレームに第１のボイスフレームを適合させることを含む。フレキシブル帯域幅キャリアは、これらの実施形態のいくつかでは、２に等しいスケーリングファクタをもつフレキシブル帯域幅ＵＭＴＳシステムであり得る。いくつかの実施形態は、第１の無線フレームに第１のボイスフレームと第２のボイスフレームとを適合させることを含む。フレキシブル帯域幅キャリアは、これらの実施形態のいくつかでは、４に等しいスケーリングファクタをもつフレキシブル帯域幅ＵＭＴＳシステムであり得る。いくつかの実施形態では、第１の無線フレームは拡張した無線フレームである。いくつかの実施形態は、少なくともパンクチャリングプロセスまたは繰り返しプロセスを通してレートマッチング調整を適用することを含む。いくつかの実施形態は、少なくとも低減された拡散係数を補償するために送信電力を増加させることを含む。いくつかの実施形態は、フレキシブル帯域幅キャリアのデータレートを容易にするためにＴＴＩを判断することを含む。
【００４６】
[0061]いくつかの実施形態は、フレキシブル波形および／または通常波形を生成し得る、図１のシステム１００のモバイルデバイス１１５および／または基地局１０５などのモバイルデバイスおよび／または基地局を含み得る。フレキシブル波形は、通常波形よりも少ない帯域幅を占有し得る。たとえば、帯域エッジにおいて、通常波形を配置するのに十分な利用可能なスペクトルがないことがある。いくつかの実施形態におけるフレキシブル波形では、時間が拡張されるので、波形によって占有される周波数が減少し、したがって、通常波形を適合させるのに十分広くないことがあるスペクトルにフレキシブル波形を適合させることが可能になる。フレキシブル波形はまた、いくつかの実施形態では、スケーリングファクタを使用することを通して生成され得る。他の実施形態は、レートまたはチップレートを改変すること（たとえば、拡散係数が変化し得る）を通してスペクトルの一部分を適合させるためにフレキシブル波形を生成し得る。いくつかの実施形態は、チップレートを変更するかまたはスケーリングファクタを利用するために処理の周波数を変更し得る。処理の周波数を変更することは、補間レート、割込みレート（interrupt rate）、および／またはデシメーションレート（decimation rate）を変更することを含み得る。いくつかの実施形態では、デシメーションによって、および／またはＡＤＣ、ＤＡＣ、および／またはオフラインクロックの周波数を変更することによって、チップレートが変更されるか、またはフィルタ処理を通してスケーリングファクタが利用され得る。ディバイダは、少なくとも１つのクロックの周波数を変更するために使用され得る。
【００４７】
[0062]いくつかの実施形態では、フレキシブルシステムまたはフレキシブル波形はフラクショナルシステム（fractional system）またはフラクショナル波形であり得る。フラクショナルシステムおよび／またはフラクショナル波形は、たとえば、帯域幅を変更することも変更しないこともある。フラクショナルシステムまたはフラクショナル波形は、それが、通常システムまたは通常波形（たとえば、Ｎ＝１システム）よりも多くの可能性を提供し得るのでフレキシブルであり得る。通常システムまたは通常波形は、標準および／またはレガシーシステムまたは波形を指すことがある。
【００４８】
[0063]図２Ａは、様々な実施形態による、基地局１０５−ａとモバイルデバイス１１５−ａとともにワイヤレス通信システム２００−ａの一例を示し、フレキシブル波形２１０−ａは、通常波形２２０−ａを適合させるのに十分広くないスペクトルの一部分に適合する。システム２００−ａは、図１のシステム１００の一例であり得る。いくつかの実施形態では、フレキシブル波形２１０−ａは、基地局１０５−ａおよび／またはモバイルデバイス１１５−ａのいずれかが送信し得る通常波形２２０−ａと重なり（overlap）得る。場合によっては、通常波形２２０−ａは、フレキシブル波形２１０−ａと完全に重なり得る。いくつかの実施形態はまた、複数のフレキシブル波形２１０を利用し得る。いくつかの実施形態では、別の基地局および／またはモバイルデバイス（図示せず）が、通常波形２２０−ａおよび／またはフレキシブル波形２１０−ａを送信し得る。
【００４９】
[0064]いくつかの実施形態では、モバイルデバイス１１５−ａおよび／または基地局１０５−ａは、フレキシブル帯域幅キャリアを介してボイスサービスなどの異なるサービスをサポートするように構成され得る。いくつかの実施形態は、特に、回線交換（ＣＳ）ボイスオーバーフレキシブル帯域幅キャリアのサポートを提供する。たとえば、モバイルデバイス１１５−ａおよび／または基地局１０５−ａは、フレキシブル帯域幅キャリアを介してボイスサービスの一部としてのボイスデータなどの送信データのサポートを提供するように構成され得る。通常帯域幅キャリアのためのデータレートが識別され得る。フレキシブル帯域幅キャリアのための低減された拡散係数は、フレキシブル帯域幅キャリアのためのデータレートが、少なくとも通常帯域幅キャリアのための識別されたデータレートを達成し得るように判断され得る。低減された拡散係数は、フレキシブル帯域幅キャリアのためのデータレートを達成するために利用され得る。図２Ｂは、基地局１０５−ｂとモバイルデバイス１１５−ｂとともにワイヤレス通信システム２００−ｂの一例を示し、フレキシブル波形２１０−ｂは、通常波形２２０−ｂが適合できない、ガードバンド（guard band）であり得る、帯域のエッジの近くのスペクトルの一部分に適合する。システム２００−ｂは、図１のシステム１００の一例であり得る。スケーリングされたフレキシブル波形２１０−ｂを利用してボイスサービスをサポートするための同様の技法は、上記で説明したように適用可能であり得る。
【００５０】
[0065]図３は、様々な実施形態による、基地局１０５−ｃとモバイルデバイス１１５−ｃおよび１１５−ｄとともにワイヤレス通信システム３００を示す。いくつかの実施形態では、基地局１０５−ｃおよび／またはモバイルデバイス１１５−ｃ／１１５−ｄは、フレキシブル帯域幅キャリア内でボイスサービスなどのサービスを提供するように構成され得る。たとえば、モバイルデバイス１１５−ｃ／１１５−ｄと基地局１０５−ｃとの間の送信３０５−ａおよび／または３０５−ｂは、フレキシブル波形を利用してスケーリングされた送信を伴い得る。
【００５１】
[0066]基地局１０５−ｃおよび／またはモバイルデバイス１１５−ｃ／１１５−ｄは、フレキシブル帯域幅キャリアのための情報データレートを通常帯域幅キャリアの情報データレートと同じに保つことを提供するように構成され得る。たとえば、１つのボイスフレームは、Ｆ−ＵＭＴＳにおけるＮまたはＤｃｒにかかわらず、送信時に２０ｍｓの時間ウィンドウに依然としてマッピングされ得る。Ｎ＝２のＦ−ＵＭＴＳの場合の１２．２ｋｂｐｓのＡＭＲについて、基地局１０５−ｃおよび／またはモバイルデバイス１１５−ｃ／１１５−ｄは、通常ＵＭＴＳに対してダウンリンク（ＤＬ）および／またはアップリンク（ＵＬ）の両方でのＤｃｒ＝２での拡散係数低減、シグナリング無線ベアラ（ＳＲＢ）について、４つの専用制御チャネル（ＤＣＣＨ、すなわち、論理チャネル）が、２０×Ｄｃｒ（すなわち、２０×２）ｍｓ＝４０ｍｓのＴＴＩを使用して１つの専用トランスポートチャネル（ＤＣＨ、すなわち、トランスポートチャネル）にマッピングされること、無線アクセスベアラ（ＲＡＢ）について、３つの専用トラフィックチャネル（ＤＴＣＨ、すなわち、論理チャネル）が、１０×Ｄｃｒ（すなわち１０×２）ｍｓ＝２０ｍｓのＴＴＩを使用して３つのＤＣＨ（トランスポートチャネル）にマッピングされること、というボイス品質を維持することができる方式を利用し得る。Ｎ＝４のＦ−ＵＭＴＳの場合の１２．２ｋｂｐｓのＡＭＲについて、基地局１０５−ｃおよび／またはモバイルデバイス１１５−ｃ／１１５−ｄは、ボイス品質を維持するために、ＤＬとＵＬの両方でのＤｃｒでの拡散係数低減およびレートマッチング調整、４つのＳＲＢ→４つのＤＣＣＨ→１０×Ｄｃｒ（すなわち、１０×４）ｍｓ＝４０ｍｓのＴＴＩを使用する１つのＤＣＨ、および／または１つのＲＡＢ→３つのＤＴＣＨ→１０×Ｄｃｒ（すなわち、１０×４）ｍｓ＝４０ｍｓのＴＴＩを使用する３つのＤＣＨという方式を利用し得る。７．９５ｋｂｐｓのＡＭＲについて、同様の実施形態が利用され得る。それぞれのＦ−ＵＭＴＳシステムのための拡散係数は、２０ｍｓ当たりのチャネルビット数が変化し得ないように、Ｄｃｒで通常帯域幅キャリアのための拡散係数を割ることによって基地局１０５−ｃおよび／またはモバイルデバイス１１５−ｃ／１１５−ｄによって低減され得る。これらの方式は、モバイルデバイス（たとえば、ＵＥ）と基地局（たとえば、ノードＢ）の両方に適用され得る。
【００５２】
[0067]いくつかの実施形態では、基地局１０５−ｃおよび／またはモバイルデバイス１１５−ｃ／１１５−ｄは、フレキシブル帯域幅キャリアを介してボイスサービスなどの異なるサービスをサポートするように構成され得る。いくつかの実施形態は、特に、回線交換（ＣＳ）ボイスオーバーフレキシブル帯域幅キャリアのサポートを提供する。たとえば、基地局１０５−ｃおよび／またはモバイルデバイス１１５−ｃ／１１５−ｄは、フレキシブル帯域幅キャリアを介してボイスサービスの一部としてのボイスデータなどの送信データのサポートを提供するように構成され得る。通常帯域幅キャリアのためのデータレートが識別され得る。フレキシブル帯域幅キャリアのための低減された拡散係数は、フレキシブル帯域幅キャリアのためのデータレートが、少なくとも通常帯域幅キャリアのための識別されたデータレートを達成し得るように判断され得る。低減された拡散係数は、フレキシブル帯域幅キャリアのためのデータレートを達成するために利用され得る。
【００５３】
[0068]いくつかの実施形態では、基地局１０５−ｃおよび／またはモバイルデバイス１１５−ｃ／１１５−ｄは、識別され得る通常の帯域幅キャリアのためのデータレートを識別し得る。フレキシブル帯域幅キャリアのスケーリングファクタは、基地局１０５−ｃおよび／またはモバイルデバイス１１５−ｃ／１１５−ｄによって識別され得る。いくつかの実施形態では、低減された拡散係数は、フレキシブル帯域幅キャリアのデータレートが通常帯域幅キャリアのためのデータレートと同じであるように、フレキシブル帯域幅キャリアについて基地局１０５−ｃおよび／またはモバイルデバイス１１５−ｃ／１１５−ｄによって判断され得る。低減された拡散係数を判断することは、チップレートディバイダで通常帯域幅キャリアの拡散係数を割ることを含み得る。チップレートディバイダは、フレキシブル帯域幅キャリアのスケーリングファクタに等しくなり得る。いくつかの実施形態は、第１の無線フレームに第１のボイスフレームを適合させることを含む。フレキシブル帯域幅キャリアは、これらの実施形態では、２に等しいスケーリングファクタをもつフレキシブル帯域幅ＵＭＴＳシステムであり得る。いくつかの実施形態は、第１の無線フレームに第１のボイスフレームと第２のボイスフレームとを適合させることを含む。フレキシブル帯域幅キャリアは、これらの実施形態では、４に等しいスケーリングファクタをもつフレキシブル帯域幅ＵＭＴＳシステムであり得る。いくつかの実施形態では、第１の無線フレームは拡張した無線フレームである。いくつかの実施形態は、少なくともパンクチャリングプロセスまたは繰り返しプロセスを通してレート調整マッチングを適用することを含む。いくつかの実施形態は、少なくとも低減された拡散係数を補償するために送信電力を増加させることを含む。
【００５４】
[0069]モバイルデバイス１１５−ｃ／１１５−ｄと基地局１０５−ｃとの間の送信３０５−ａおよび／または３０５−ｂは、通常波形よりも少ない（または多い）帯域幅を占有するように生成され得るフレキシブル波形を利用し得る。たとえば、帯域エッジにおいて、通常波形を配置するのに十分な利用可能なスペクトルがないことがある。フレキシブル波形では、時間が拡張されるので、波形によって占有される周波数が減少し、したがって、通常波形を適合させるのに十分広くないことがあるスペクトルにフレキシブル波形を適合させることが可能になる。いくつかの実施形態では、フレキシブル波形は、通常波形に関するスケーリングファクタＮを利用してスケーリングされ得る。スケーリングファクタＮは、限定はしないが、１、２、４などの整数値を含む多数の異なる値をとり得る。ただし、Ｎが整数である必要はない。
【００５５】
[0070]いくつかの実施形態は追加の用語を利用し得る。新しい単位Ｄが利用され得る。単位Ｄは拡張される。それはユニットレス（unitless）であり、Ｎの値を有する。フレキシブルシステムにおける時間について「拡張時間（dilated time）」の点で話すことができる。たとえば、通常帯域幅キャリアにおけるたとえば１０ｍｓの持続時間のスロットは、通常帯域幅キャリアについて１０Ｄｍｓ＝１０×Ｄｃｒ  ｍｓ＝１０ｍｓなので、１０Ｄｍｓとして表され得る。タイムスケーリングでは、ほとんどの「秒」の代わりに「拡張秒（dilated-seconds）」を使用することができる。ヘルツ単位の周波数が１／ｓであることに留意されたい。上記のように、いくつかの実施形態はまた、やはり値Ｎを有し得るチップレートディバイダ（「Ｄｃｒ」）を利用し得る。
【００５６】
[0071]上記で説明したように、フレキシブル波形は、通常波形よりも少ない帯域幅を占有する波形であり得る。したがって、フレキシブル帯域幅キャリアでは、通常帯域幅キャリアと比較して、同数のシンボルおよびビットがより長い持続時間にわたって送信され得る。これは、タイムストレッチング（time stretching）を生じ得、それにより、スロット持続時間、フレーム持続時間などがスケーリングファクタＮで増加し得る。スケーリングファクタＮは、フレキシブル帯域幅（ＢＷ）に対する通常帯域幅の比を表し得る。したがって、フレキシブル帯域幅キャリアにおけるデータレートは（通常レート（Normal Rate）×１／Ｎ）に等しくなり得、遅延は（通常遅延（Normal Delay）×Ｎ）に等しくなり得る。概して、フレキシブルシステムチャネルＢＷ＝通常システムのチャネルＢＷ／Ｎである。遅延×ＢＷは不変のままであり得る。さらに、いくつかの実施形態では、フレキシブル波形は、通常波形よりも多い帯域幅を占有する波形であり得る。
【００５７】
[0072]本明細書全体にわたって、通常システム、通常サブシステム、および／または通常波形という用語が、１に等しくなり得るスケーリングファクタ（たとえば、Ｎ＝１）あるいは通常または標準チップレートを利用し得る実施形態を伴うシステム、サブシステム、および／または波形を指すために利用され得る。これらの通常システム、通常サブシステム、および／または通常波形は、標準および／またはレガシーシステム、標準および／またはレガシーサブシステム、ならびに／あるいは標準および／またはレガシー波形と呼ばれることもある。さらに、フレキシブルシステム、フレキシブルサブシステム、および／またはフレキシブル波形は、１に等しくないことがあるスケーリングファクタ（たとえば、Ｎ＝２、４、８、１／２、１／４など）を利用し得る実施形態を伴うシステム、サブシステム、および／または波形を指すために利用され得る。Ｎ＞１である場合、またはチップレートが低下した場合、波形の帯域幅が減少し得る。いくつかの実施形態は、帯域幅を増加させるスケーリングファクタまたはチップレートを利用し得る。たとえば、Ｎ＜１である場合、またはチップレートが増加した場合、波形は通常波形よりも大きい帯域幅をカバーするために拡大され得る。フレキシブルシステム、フレキシブルサブシステム、および／またはフレキシブル波形は、場合によっては、フラクショナルシステム、フラクショナルサブシステム、および／またはフラクショナル波形と呼ばれることもある。フラクショナルシステム、フラクショナルサブシステム、および／またはフラクショナル波形は、たとえば、帯域幅を変更することも変更しないこともある。フラクショナルシステム、フラクショナルサブシステム、またはフラクショナル波形は、それが、通常または標準システム、通常または標準サブシステム、または通常または標準波形（たとえば、Ｎ＝１システム）よりも多くの可能性を提供し得るのでフレキシブルであり得る。
【００５８】
[0073]次に図４Ａを参照すると、ブロック図は、様々な実施形態による、フレキシブル帯域幅キャリアを介してボイスサービスの一部としてのボイスデータなどのデータを提供するためのデバイス４００−ａを示す。デバイス４００−ａは、図１、図２、図３、図１１、および／または図１３を参照しながら説明する基地局１０５の１つまたは複数の態様の一例であり得る。デバイス４００−ａは、図１、図２、図３、図１１、図１２、および／または図１３を参照しながら説明するモバイルデバイス１１５の１つまたは複数の態様の一例であり得る。デバイス４００はまたプロセッサであり得る。デバイス４００−ａは、論理チャネルモジュール４１５、トランスポートチャネルモジュール４０５および／または物理チャネルモジュール４１０を含み得る。デバイス４００−ａの構成要素はボコーダを含み得る。これらの構成要素の各々は互いに通信していることがある。
【００５９】
[0074]デバイス４００−ａのこれらの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００６０】
[0075]デバイス４００−ａは、論理チャネルモジュール４１５、トランスポートチャネルモジュール４０５および／または物理チャネルモジュール４１０を通して、フレキシブル帯域幅キャリアを介した情報データレートを通常帯域幅キャリアの情報データレートと同じに保つように構成され得る。通常帯域幅キャリアを介したサービスのためのデータレートは、たとえば、論理チャネルモジュール４１５、トランスポートチャネルモジュール４０５および／または物理チャネルモジュール４１０を通してデバイス４００−ａによって識別され得る。デバイス４００−ａは、論理チャネルモジュール４１５、トランスポートチャネルモジュール４０５および／または物理チャネルモジュール４１０を通して、フレキシブル帯域幅キャリアを介したデータレートが、少なくとも通常帯域幅キャリアを介した識別されたデータレートを達成し得るようにフレキシブル帯域幅キャリアのための低減された拡散係数を判断し得る。デバイス４００−ａは、物理チャネルモジュール４１０を通して、フレキシブル帯域幅キャリアを介したデータレートを達成するために低減された拡散係数を利用し得る。
【００６１】
[0076]デバイス４００−ａは、論理チャネルモジュール４１５、トランスポートチャネルモジュール４０５および／または物理チャネルモジュール４１０を通して、フレキシブル帯域幅キャリアの第１の無線フレームに第１のボイスフレームと第２のボイスフレームの一方または両方を適合させ得る。第１の無線フレームは拡張した無線フレームであり得る。低減された拡散係数を判断することは、フレキシブル帯域幅キャリアのチップレートディバイダで通常帯域幅キャリアの拡散係数を割ることを含み得る。チップレートディバイダは、フレキシブル帯域幅キャリアの帯域幅スケーリングファクタに等しくなり得る。
【００６２】
[0077]フレキシブル帯域幅キャリアを介したデータレートは、フレキシブル帯域幅キャリアを介したデータの適用例に依存し得る。フレキシブル帯域幅キャリアを介したデータの適用例はボイスアプリケーション（voice application）を含み得る。デバイス４００−ａは、トランスポートチャネルモジュール４０５を通して、少なくともパンクチャリングプロセスまたは繰り返しプロセスを通してレートマッチング調整を適用し得る。デバイス４００−ａは、物理チャネルモジュール４１０を通して、少なくとも低減された拡散係数を補償するために送信電力を増加させ得る。デバイス４００−ａは、トランスポートチャネルモジュール４０５を通して、フレキシブル帯域幅キャリアを介したデータレートをさらに容易にするためにＴＴＩを判断および／または利用し得る。デバイス４００−ａは、トランスポートチャネルモジュール４０５を通して、複数のトランスポートブロックを連結し（concatenate）得る。デバイス４００−ａは、２または４に等しい帯域幅スケーリングファクタをもつフレキシブル帯域幅ＵＭＴＳキャリアを含み得るフレキシブル帯域幅キャリアに関して実装され得る。
【００６３】
[0078]次に図４Ｂを参照すると、ブロック図は、様々な実施形態による、フレキシブル帯域幅キャリアを介してボイスサービスの一部としてのボイスデータなどのデータを提供するためのデバイス４００−ｂを示す。デバイス４００−ｂは、図１、図２、図３、図１１、および／または図１３を参照しながら説明する基地局１０５の１つまたは複数の態様の一例であり得る。デバイス４００は、図１、図２、図３、図１１、図１２、および／または図１３を参照しながら説明するモバイルデバイス１１５の１つまたは複数の態様の一例であり得る。デバイス４００はまたプロセッサであり得る。デバイス４００−ｂは、トランスポートチャネルモジュール４０５−ａおよび／または物理チャネルモジュール４１０−ａを含み得る。トランスポートチャネルモジュール４０５−ａは、送信時間間隔モジュール４０６、連結モジュール４０８、および／またはレートマッチングモジュール４０７を含み得る。物理チャネルモジュール４１０−ａは、拡散係数モジュール４１１、パンクチャリングモジュール４１２、および／または電力制御モジュール４１３を含み得る。トランスポートチャネルモジュール４０５−ａは、図４Ａのトランスポートチャネルモジュール４０５の一例であり得る。物理チャネルモジュール４１０−ａは、図４Ａの物理チャネルモジュール４１０の一例であり得る。デバイス４００−ｂの構成要素はボコーダを含み得る。これらの構成要素の各々は互いに通信していることがある。デバイス４００−ｂはまた、図４Ａのデバイス４００−ａの論理チャネルモジュール４１５と同様の論理チャネルモジュール（図示せず）を含み得る。
【００６４】
[0079]デバイス４００−ｂのこれらの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る、他のタイプの集積回路（たとえば、ストラクチャード（Structured）／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００６５】
[0080]デバイス４００−ｂは、トランスポートチャネルモジュール４０５−ａおよび／または物理チャネルモジュール４１０−ａを通して、フレキシブル帯域幅キャリアを介した情報データレートを通常帯域幅キャリアの情報データレートと同じに保つように構成され得る。通常帯域幅キャリアを介したサービスのためのデータレートは、たとえば、トランスポートチャネルモジュール４０５−ａおよび／または物理チャネルモジュール４１０−ａを通してデバイス４００−ｂによって識別され得る。デバイス４００−ｂは、トランスポートチャネルモジュール４０５−ａおよび／または物理チャネルモジュール４１０−ａを通して、フレキシブル帯域幅キャリアを介したデータレートが、少なくとも通常帯域幅キャリアを介した識別されたデータレートを達成し得るようにフレキシブル帯域幅キャリアのための低減された拡散係数を判断し得る。デバイス４００−ｂは、（拡散係数低減モジュール４１１を介した）物理チャネルモジュール４１０−ａを通して、フレキシブル帯域幅キャリアのためのデータレートを達成するために低減された拡散係数を利用し得る。
【００６６】
[0081]デバイス４００−ｂは、トランスポートチャネルモジュール４０５−ａおよび／または物理チャネルモジュール４１０−ａを通して、フレキシブル帯域幅キャリアの第１の無線フレームに第１のボイスフレームと第２のボイスフレームの一方または両方を適合させ得る。第１の無線フレームは拡張した無線フレームであり得る。低減された拡散係数を判断することは、フレキシブル帯域幅キャリアのチップレートディバイダで通常帯域幅キャリアの拡散係数を割ることを含み得る。チップレートディバイダは、フレキシブル帯域幅キャリアの帯域幅スケーリングファクタに等しくなり得る。
【００６７】
[0082]フレキシブル帯域幅キャリアを介したデータレートは、フレキシブル帯域幅キャリアを介したデータの適用例に依存し得る。フレキシブル帯域幅キャリアを介したデータの適用例はボイスアプリケーションを含み得る。
【００６８】
[0083]デバイス４００−ｂは、（レートマッチングモジュール４０７を介した）トランスポートチャネルモジュール４０５−ａを通して、少なくともパンクチャリングプロセスまたは繰り返しプロセスを通してレートマッチング調整を適用し得る。デバイス４００−ｂは、（電力制御モジュール４１３を介した）物理チャネルモジュール４１０−ａを通して、少なくとも低減された拡散係数を補償するために送信電力を増加させ得る。デバイス４００−ｂは、（送信時間間隔モジュール４０６を介した）トランスポートチャネルモジュール４０６を通して、フレキシブル帯域幅キャリアのためのデータレートを容易にするためにＴＴＩを判断および／または利用し得る。デバイス４００−ｂは、（連結モジュール４０８を介した）トランスポートチャネルモジュール４０５−ａを通して、複数のトランスポートブロックを連結し得る。
【００６９】
[0084]デバイス４００−ｂは、２または４に等しい帯域幅スケーリングファクタをもつフレキシブル帯域幅ＵＭＴＳキャリアを含み得るフレキシブル帯域幅キャリアに関して実装され得る。
【００７０】
[0085]いくつかの実施形態は、回線交換（ＣＳ）ボイスオーバーフレキシブル帯域幅キャリアのサポートを提供するためにデバイス４００−ａおよび／または４００−ｂなどのデバイスを利用し得る。いくつかの実施形態は、１２．２ｋｂｐｓおよび／または７．９５ｋｂｐｓのＡＭＲ  ＣＳボイスオーバーフレキシブル帯域幅ＵＭＴＳ（Ｆ−ＵＭＴＳ）のサポートを含む。レガシーＵＭＴＳにおいて使用されるのと同じボコーダを使用してＦ−ＵＭＴＳにおいてＣＳボイスをサポートすることは、限定はしないが、Ｆ−ＵＭＴＳにおいてＤｃｒのファクタでスケールダウンされ得るデータレート、Ｆ−ＵＭＴＳにおける送信時間間隔（ＴＴＩ）スケーリングにより導入され得る追加の遅延、および／またはＦ−ＵＭＴＳにおいて１５００／Ｄｃｒ  Ｈｚにスケールダウンされ得る送信電力制御（ＴＰＣ）レートなどの問題を含む様々な問題に対処し得る。Ｄｃｒは、Ｆ−ＵＭＴＳのために使用され得るチップレートディバイダを表し得る。Ｄｃｒの値は、Ｆ−ＵＭＴＳにおける帯域幅スケーリングファクタ（すなわち、Ｎ）に等しくなり得る。
【００７１】
[0086]たとえば、フレキシブル帯域幅ＵＭＴＳ（Ｆ−ＵＭＴＳ）において、時間は、低帯域幅信号を達成する手段として通常波形に対してスケーリングされ得る。その結果、Ｆ−ＵＭＴＳにおけるチップレートは、通常ＵＭＴＳにおけるチップレートに対して減少され得、したがって、チップ持続時間は同じファクタで増加または拡張される。Ｆ−ＵＭＴＳでは、時間の遅れ、チップ持続時間、スロット持続時間、フレーム持続時間、サブフレーム持続時間、無線フレーム持続時間により、ＴＴＩは、Ｄｃｒのファクタで拡張され得、Ｄｃｒは、Ｆ−ＵＭＴＳのために使用されるチップレートディバイダである。その結果、ＵＭＴＳにおけるＡＭＲボイスサービスのための現在の物理レイヤ構成は、たとえば、必要とされるデータレートをもはや満たすことができない。その結果、ＵＭＴＳにおけるＡＭＲボイスサービスのための現在の物理レイヤ構成は、必要とされるデータレートをもはや満たすことができない。実施形態はこれらの問題に対処し得る。
【００７２】
[0087]いくつかの実施形態は、Ｎ＝２のＦ−ＵＭＴＳの場合の１２．２ｋｂｐｓのＡＭＲのための解決策を提供し得る。これらの例は、Ｎ＝２のＦ−ＵＭＴＳの場合の１２．２ｋｂｐｓのＡＭＲに焦点を当て得るが、他の実施形態は、他のスケーリングファクタ、データレート、および／または無線アクセス技術を利用し得る同様のツールおよび技法を利用し得る。実施形態は異なる送信方式を含み得る。フレキシブル帯域幅キャリアにおいて同じボイス品質を維持するために、情報データレートを通常モードの情報データレートと同じ（これらの例では１２．２ｋｂｐｓ）に保つことが望ましいことがある。すなわち、１つのボイスフレームは、Ｆ−ＵＭＴＳにおけるＮまたはＤｃｒにかかわらず、送信時に２０ｍｓの時間ウィンドウに依然としてマッピングされ得る。いくつかの実施形態は、ボイス品質を維持することができる以下の方式を利用する。
【００７３】
・  ＤＬとＵＬの両方でのＤｃｒ（たとえば、Ｄｃｒ＝２）での拡散係数低減、
・  ４つのＳＲＢ→４つのＤＣＣＨ→２０×Ｄｃｒ、すなわち、２０×２ｍｓ＝４０ｍｓのＴＴＩを使用する１つのＤＣＨ、および／または
・  １つのＲＡＢ→３つのＤＴＣＨ→１０×Ｄｃｒ、すなわち、１０×２ｍｓ＝２０ｍｓのＴＴＩを使用する３つのＤＣＨ。
【００７４】
この方式は、モバイルデバイス（たとえば、ＵＥ）および／または基地局（たとえば、ノードＢ）の両方に適用され得る。
【００７５】
[0088]様々な実施形態による、Ｎ＝２のＦ−ＵＭＴＳシステムとのアップリンクとダウンリンクの両方のための専用物理データチャネル（ＤＰＤＣＨ）のために、異なる構成が利用され得る。通常の動作モード（すなわち、Ｎ＝１）について、ＳＦnormが、たとえば、拡散係数であるとする。３ＧＰＰ  ＴＳ３４．１０８、セクション６．１０．２．４．１．４に従って、アップリンクについてはＳＦnorm,UL＝６４であり、ダウンリンクについてはＳＦnorm,DL＝１２８である。Ｎ＝２のＦ−ＵＭＴＳシステムの場合、２０ｍｓ当たりのチャネルビット数が変化し得ないように、拡散係数は下記のように計算され得る。
【数１】
0005746444.tif 000002
【００７６】
Ｎ＝２のＦ−ＵＭＴＳの場合、いくつかの実施形態では、Ｄｃｒ＝２であることに留意されよう。
【００７７】
[0089]表１は、様々な実施形態による、会話／スピーチ（speech）／ＵＬ：１２．２ｋｂｐｓ／ＣＳ  ＲＡＢのためのトランスポートチャネルパラメータを示す。
【表１】
0005746444.tif 000003
【００７８】
[0090]表２は、様々な実施形態による、ＤＣＣＨのためのＵＬ：３．４ｋｂｐｓのＳＲＢのためのトランスポートチャネルパラメータを示す。
【表２】
0005746444.tif 000004
【００７９】
[0091]表３は、様々な実施形態による、アップリンクトランスポートフォーマット組合せセット（uplink Transport Format Combination Set）（ＴＦＣＳ）パラメータを示す。
【表３】
0005746444.tif 000005
【００８０】
[0092]表４は、様々な実施形態による、アップリンク物理パラメータを示す。
【表４】
0005746444.tif 000006
【００８１】
[0093]表５は、様々な実施形態による、会話／スピーチ／ＤＬ：１２．２ｋｂｐｓ／ＣＳ  ＲＡＢのためのダウンリンクトランスポートチャネルパラメータを示す。
【表５】
0005746444.tif 000007
【００８２】
[0094]表６は、様々な実施形態による、ＤＣＣＨのためのＤＬ：３．４ｋｂｐｓのＳＲＢのためのトランスポートチャネルパラメータを示す。
【表６】
0005746444.tif 000008
【００８３】
[0095]表７は、様々な実施形態による、ダウンリンクＴＦＣＳパラメータを示す。
【表７】
0005746444.tif 000009
【００８４】
[0096]表８は、様々な実施形態による、ダウンリンク物理チャネルパラメータを示す。
【表８】
0005746444.tif 000010
【００８５】
[0097]図５は、様々な実施形態による、Ｎ＝２のＦ−ＵＭＴＳにおける「ＡＭＲ  ＤＬ：１２．２ｋｂｐｓのＲＡＢ」＋「ＤＬ：３．４ｋｂｐｓのＳＲＢ」のためのトランスポートチャネルプロシージャ５００を示す。
【００８６】
[0098]表９は、様々な実施形態による、Ｎ＝２のＦ−ＵＭＴＳにおけるＡＭＲおよびＤＣＣＨのためのＤＬトランスポートチャネルを示す。
【表９】
0005746444.tif 000011
【００８７】
[0099]無線フレームセグメンテーション中に、１０×Ｄｃｒ（すなわち１０×２＝２０ｍｓ）のＡＭＲ  ＴＴＩは、１０×Ｄｃｒ、すなわち、１０×２ｍｓ＝２０ｍｓの無線フレームに適合し得るが、２０×Ｄｃｒ（すなわち、２０×２ｍｓ）＝４０ｍｓのＤＣＣＨ  ＴＴＩは、２０ｍｓの無線フレームに分けられ（be broken）得る。
【００８８】
[0100]図６は、様々な実施形態による、Ｎ＝２のＦ−ＵＭＴＳにおけるＡＭＲ  ＤＬ：１２．２ｋｂｐｓのＲＡＢ＋ＤＬ：３．４ｋｂｐｓのＳＲＢのための、トランスポートチャネル（ＴｒＣＨ）の多重化と、トランスポートチャネルの物理チャネルへのマッピングとの図６００を示す。ＡＭＲのためのＴｒＣＨは無線フレームに完全に適合し得るが、シグナリングのためのＴｒＣＨは、それのＴＴＩから１０×Ｄｃｒ  ｍｓ、すなわち、２０ｍｓのフレームに分けられ得る。これらのフレームは、次いで、コード化複合トランスポートチャネル（ＣＣＴｒＣＨ：Coded Composite Transport Channel）へ連続的に（serially）多重化され得る。したがって、各ＣＣＴｒＣＨは、ＡＭＲクラスＡ、Ｂ、およびＣビットシーケンスに加えてシグナリング情報の一部分を含み得る。１つのＣＣＴｒＣＨを搬送するために１２０／Ｄｃｒ、すなわち、１２０／２＝６０ｋｂｐｓのダウンリンクＤＰＣＨが割り振られ得る。ここで示したコンテキストおよび数字（figures）は６つのトランスポートフォーマット組合せ（ＴＦＣ：transport format combination）のうちの１つのみを指し得ることに留意されよう。
【００８９】
（ＲＡＢサブフロー（subflow）＃１、ＲＡＢサブフロー＃２、ＲＡＢサブフロー＃３、ＤＣＣＨ）＝（ＴＦ２、ＴＦ１、ＴＦ１、ＴＦ１）。
【００９０】
[0101]インターリービング（interleaving）の第２ラウンドは、ＣＣＴｒＣＨ上で行われ得る。無線フレーム当たり５１０×Ｄｃｒ、すなわち、１０２０のコード化ビットは、ＣＲＣおよびテールビット（tail bits）と、１／２または１／３のレートのビットからコード化ビットへのコーディング（rate 1/2 or 1/3 bits-to-coded bits coding）と、レートマッチングとを含み得る。次いで、コード化ビットは、シリアルパラレル変換（serial-to-parallel conversion）を受け、６０／Ｄｃｒ（すなわち、６０／２＝３０）ｋｓｐｓのＤＰＤＣＨ上に配置され得る。
【００９１】
[0102]いくつかの実施形態では、ダウンリンクスロットフォーマットは８であり、これは、ＳＦ６４であり、ＴＦＣＩビットがない。１０×Ｄｃｒ（すなわち、２０）ｍｓの無線フレーム中に１０２０のデータビットがあり得る。４つのトランスポートチャネルの各々のＴＴＩを使用して、上記のビットは１０２０（すなわち、３１２＋３２８＋１６６＋４２８／２＝１０２０）に一致し得る。
【００９２】
[0103]ダウンリンクでは、ＤＰＣＨとして時間多重化されたＤＰＣＣＨとＤＰＤＣＨとが同じ拡散係数を使用し得る。表１０は、様々な実施形態による、ＤＰＤＣＨフィールドとＤＰＣＣＨフィールドとのためのＤＬスロットフォーマットを示す。
【表１０】
0005746444.tif 000012
【００９３】
[0104]上記の表において使用されるスロットフォーマット８が、圧縮モードのために現在のＵＭＴＳ仕様において使用されるＤＬ  ＤＰＤＣＨ＋ＤＰＣＣＨにおけるスロットフォーマット８Ｂに対応し得ることに留意されよう。Ｎ＝２のＦ−ＵＭＴＳシステムの場合、帯域幅がより少なく、１２．２ｋｂｐｓのＡＭＲのタイミングおよびビット要件が同じであるので、拡散係数は、ビット／スロットしたがってビット／フレームを増加させるために低減され得る。しかしながら、Ｎ＝２のＦ−ＵＭＴＳの場合では時間が拡張されるので、チャネルビットレートまたはチャネルシンボルレートは変化し得ない。レートマッチング調整方法はまた、通常のＵＭＴＳ（すなわち、Ｎ＝１のＵＭＴＳ）と比較してＮ＝２のＦ−ＵＭＴＳでは変化し得ない。
【００９４】
[0105]同様に、表１０において使用されるスロットフォーマット８Ｂは、現在のＵＭＴＳシステムにおいて使用される任意のスロットフォーマットに対応し得ない。また、ＵＭＴＳ仕様では、スロットフォーマット１２Ｂ、１３および１３Ａ（すべてＳＦ３２を有する）があり、これらも使用され得る。ただし、データビットが上記の表のスロットフォーマット８Ｂとまったく同じであり得ないので、その場合ＲＭ属性が変更され得る。スロットフォーマット１２Ｂが使用される場合に、１６のＴＦＣＩビットが使用されない場合、ＴＦＣＩフィールド中でＤＴＸが使用され得る。したがって、表１０において定義されているスロットフォーマット８Ｂは、データビットとしてスロットフォーマット１２Ｂの１６のＴＦＣＩビットを使用し得る。
【００９５】
[0106]レートマッチングは、Ｎ＝１の場合、ＤＬにおける無線フレームセグメンテーションの前に行われ得る（Ｎ＝２の場合、無線フレームセグメンテーションはＴｒＣｈ＃Ａ、ＴｒＣｈ＃ＢおよびＴｒＣｈ＃Ｃのために必要とされない）。この時点で、無線フレームセグメンテーションまで処理の差がないので、ビット数はＮ＝１とＮ＝２とでまったく等しくなり得る。したがって、ＲＭ属性は、Ｎ＝１の場合のようにＮ＝２の場合に同じままであり得る。
【００９６】
[0107]表１１は、様々な実施形態による、ＤＰＤＣＨフィールドのためのＵＬスロットフォーマットを示す。
【表１１】
0005746444.tif 000013
【００９７】
[0108]上記の表１１において使用されるスロットフォーマットが、現在のＵＭＴＳシステムのＵＬ  ＤＰＤＣＨにおいて使用されるスロットフォーマット３および４にそれぞれ対応し得ることに留意されよう。Ｎ＝２のＦ−ＵＭＴＳシステムの場合、帯域幅がより少なく、１２．２ｋｂｐｓのＡＭＲのタイミングおよびビット要件が同じであるので、拡散係数は、ビット／スロットしたがってビット／フレームを増加させるために低減され得る。しかしながら、Ｎ＝２のＦ−ＵＭＴＳでは時間が拡張されるので、チャネルビットレートまたはチャネルシンボルレートは変化し得ない。レートマッチング調整方法は、通常のＵＭＴＳ（すなわち、Ｎ＝１のＵＭＴＳ）と比較してＮ＝２のＦ−ＵＭＴＳでは変化し得ない。
【００９８】
[0109]表１２は、様々な実施形態による、ＤＰＣＣＨフィールドのためのＵＬスロットフォーマットを示す。
【表１２】
0005746444.tif 000014
【００９９】
[0110]表１２におけるスロットフォーマット０、０Ａおよび０Ｂが、通常モードの場合の現在のＵＭＴＳシステムのＵＬ  ＤＰＤＣＨにおいて使用されるスロットフォーマット０、０Ａおよび０Ｂにそれぞれ対応し得ることに留意されよう。
【０１００】
[0111]ＵＬ  ＤＰＣＣＨの場合、すべてのスロットフォーマットが２５６の拡散係数を有し得る。したがって、ビット／スロットとビット／フレームとは同じままであり得、チャネルビットレートとチャネルシンボルレートとは、Ｄｃｒでスケールダウンされ得る。その結果、ＴＰＣレートは、Ｎ＝１のＵＭＴＳにおける１５００Ｈｚから１５００／Ｄｃｒ（すなわち、Ｎ＝２のＦ−ＵＭＴＳにおける７５０Ｈｚ）に低減され得る。
【０１０１】
[0112]２０ｍｓごとに（ボイスフレームごとに）少なくとも１回送信される必要があり得る３２のＴＦＣＩ符号化ビットがあり得る。すべての目的のために参照により本明細書に組み込まれる、３ＧＰＰ  ＴＳ２５．２１２、多重化およびチャネルコーディング（ＦＤＤ）（リリース８）のセクション４．３．３に従って、ＴＦＣＩは、２次リード−マラーコード（second order Reed-Muller code）の（３２，１０）サブコードを使用して符号化され得る。ＴＦＣＩが１０ビット未満からなる場合、最上位ビットを０に設定することによって、１０ビットに０でパディングされ（be padded）得る。ＴＦＣＩコードワードの長さは３２ビットであり得る。
【０１０２】
[0113]３ＧＰＰ  ＴＳ２５．２１２のセクション４．３．５．１は、コードワードのビットが無線フレームのスロットに直接マッピングされると言及している。スロット内で、より低いインデックスをもつビットは、より高いインデックスをもつビットの前に送信され得る。コード化ビットｂｋは、以下の公式に従って、送信されるＴＦＣＩビットｄｋにマッピングされ得る。
【数２】
0005746444.tif 000015
【０１０３】
[0114]アップリンク物理チャネルの場合、ＳＦビットにかかわらず、ＴＦＣＩコードワードのｂ３０とｂ３１とは送信され得ない。
【０１０４】
[0115]表１０のスロットフォーマット０を使用して、１０×Ｄｃｒ（すなわち、２０ｍｓ）のフレーム持続時間ごとに２×１５＝３０のＴＦＣＩ符号化ビットがあり得る。したがって、ＴＦＣＩコードワードのビットｂ３０およびｂ３１は送信され得ない。
【０１０５】
[0116]３ＧＰＰ  ＴＳ２５．２１２のセクション４．３．５．２は、アップリンク圧縮モードについて、ＴＦＣＩコード化ビットが失われないようにスロットフォーマットが変更され得ると言及している。圧縮モードにおいて異なるスロットフォーマットは、すべての可能なＴＧＬについてＴＦＣＩコード化ビットの正確な数に一致しないことがある。したがって、ＴＦＣＩビットの繰り返しが使用され得る。
【０１０６】
[0117]ＤＬでは、ＤＰＣＣＨとＤＰＤＣＨとは、ＤＰＣＨとして時間多重化され、同じ拡散係数を使用し得る。修正されたスロットフォーマット８を使用するダウンリンクＤＰＣＣＨフィールド中のビット数がＮ＝２のＦ−ＵＭＴＳの場合の表１１に示され得る。
【０１０７】
[0118]使用されるスロットフォーマットについて、ＴＦＣＩビット数は０であり得る。したがって、アップリンクとは異なり、場合によっては、ＴＦＣＩの特殊な処理が必要ないことがある。いくつかの実施形態では、ＴＰＣビットとパイロットビットとは単に、３ＧＰＰ  ＴＳ２５．２１１、表１２〜表１３において定義されている基本パターンを繰り返すことによって取得され得る。
【０１０８】
[0119]概して、拡散係数の低減はリンクバジェット（link budget）への影響を有し得る。拡散係数低減を補償し、同じボイスサービスカバレージを維持するために、Ｆ−ＵＭＴＳの場合の同じＰＳＤに対応する送信電力から送信電力が増加され得る。
【０１０９】
[0120]第１のボイスフレーム（すなわち、２０ｍｓ長）は、ＭＡＣにおいて利用可能になると、ＰＨＹに配信され得る。（処理時間がＤｃｒでスケーリングされないと仮定すると）何らかのＰＨＹレイヤ処理の後に、オーバージエア（over-the-air）送信は、現在の仕様制限により次の無線フレーム境界においてのみ開始することが許可され得る。しかしながら、Ｎ＝２のＦ−ＵＭＴＳシステムの場合、ＴＴＩは１０×Ｄｃｒ＝２０ｍｓであり得、無線フレームはまた１０×Ｄｃｒ＝２０ｍｓであり得るので、通常ＵＭＴＳシステム（すなわち、Ｎ＝１）と比較して追加のレイテンシ（latency）がないことがあり得る。Ｎ＝２のＦ−ＵＭＴＳを介したボイスのための追加のレイテンシを計算する際、処理遅延は、通常のＵＭＴＳ（すなわち、Ｎ＝１）の場合のように一定のままであると仮定され得ることに留意されよう。
【０１１０】
[0121]Ｎ＝２のＦ−ＵＭＴＳの場合の７．９５ｋｂｐｓのＡＭＲの場合のいくつかの実施形態は、１２．２ｋｂｐｓのＡＭＲの場合の実施形態と同様であり得、したがって、詳細に説明しない。クラスＡ、ＢおよびＣビットの数が７．９５ｋｂｐｓのＡＭＲでは１２．２ｋｂｐｓのＡＭＲとは異なり得るとしても、使用されるスロットフォーマットは、１２.２ｋｂｐｓのＡＭＲの場合と同じであり得る。
【０１１１】
[0122]いくつかの実施形態は、Ｎ＝４のＦ−ＵＭＴＳの場合に１２．２ｋｂｐｓのＡＭＲを提供し得る。１つのボイスフレームは、Ｆ−ＵＭＴＳにおけるＮまたはＤｃｒにかかわらず、送信時に２０ｍｓの時間ウィンドウに依然としてマッピングされ得る。Ｎ＝４のＦ−ＵＭＴＳシステムにおいて同じボイス品質を維持する（すなわち、情報データレートを通常モード（たとえば、１２．２ｋｂｐｓ）の情報データレートと同じに保つ）ために、Ｎ＝２の場合と同様の送信方式が利用され得る。
【０１１２】
・  ＤＬとＵＬの両方でのＤｃｒ（たとえば、Ｄｃｒ＝４）での拡散係数低減およびレートマッチング調整、
・  ４つのＳＲＢ→４つのＤＣＣＨ→１０×Ｄｃｒ、すなわち、１０×４ｍｓ＝４０ｍｓのＴＴＩを使用する１つのＤＣＨ、
・  １つのＲＡＢ→３つのＤＴＣＨ→１０×Ｄｃｒ、すなわち、１０×４ｍｓ＝４０ｍｓのＴＴＩを使用する３つのＤＣＨ。
【０１１３】
この方式は、モバイルデバイス（たとえば、ＵＥ）と基地局（たとえば、ノードＢ）の両方に適用され得る。
【０１１４】
[0123]このセクションは、様々な実施形態による、Ｎ＝４のＦ−ＵＭＴＳシステムとのアップリンクとダウンリンクの両方のための専用物理データチャネル（ＤＰＤＣＨ）の構成を取り上げる（address）。通常の動作モード（すなわち、Ｎ＝１）について、ＳＦnormが拡散係数であるとする。３ＧＰＰ  ＴＳ３４．１０８、セクション６．１０．２．４．１．４に従って、アップリンクについてはＳＦnorm,UL＝６４であり、ダウンリンクについてはＳＦnorm,DL＝１２８である。Ｎ＝４のＦ−ＵＭＴＳシステムの場合、２０ｍｓ当たりのチャネルビット数が変化し得ないように、拡散係数は下記のように計算され得る。
【数３】
0005746444.tif 000016
【０１１５】
Ｎ＝４のＦ−ＵＭＴＳの場合、いくつかの実施形態では、Ｄｃｒ＝４であることに留意されよう。
【０１１６】
[0124]表１３は、様々な実施形態による、会話／スピーチ／ＵＬ：１２．２ｋｂｐｓ／ＣＳ  ＲＡＢのためのトランスポートチャネルパラメータを提供する。
【表１３−１】
0005746444.tif 000017
【表１３−２】
0005746444.tif 000018
【表１３−３】
0005746444.tif 000019
【０１１７】
[0125]表１４は、様々な実施形態による、ＤＣＣＨのためのＵＬ：３．４ｋｂｐｓのＳＲＢのためのトランスポートチャネルパラメータを提供する。
【表１４】
0005746444.tif 000020
【０１１８】
[0126]表１５は、様々な実施形態による、アップリンクＴＦＣＳパラメータを提供する。
【表１５】
0005746444.tif 000021
【０１１９】
[0127]表１６は、様々な実施形態による、アップリンク物理チャネルパラメータを提供する。
【表１６】
0005746444.tif 000022
【０１２０】
[0128]表１７は、様々な実施形態による、会話／スピーチ／ＤＬ：１２．２ｋｂｐｓ／ＣＳ  ＲＡＢのためのダウンリンクトランスポートチャネルパラメータを提供する。
【表１７−１】
0005746444.tif 000023
【表１７−２】
0005746444.tif 000024
【表１７−３】
0005746444.tif 000025
【０１２１】
[0129]表１８は、様々な実施形態による、ＤＣＣＨのためのＤＬ：３．４ｋｂｐｓのＳＲＢのためのダウンリンクトランスポートチャネルパラメータを与える。
【表１８】
0005746444.tif 000026
【０１２２】
[0130]表１９は、様々な実施形態による、ダウンリンクＴＦＣＳパラメータを提供する。
【表１９】
0005746444.tif 000027
【０１２３】
[0131]表２０は、様々な実施形態による、ダウンリンク物理チャネルパラメータを提供する。
【表２０】
0005746444.tif 000028
【０１２４】
[0132]図７は、様々な実施形態による、Ｎ＝４のＦ−ＵＭＴＳにおけるＡＭＲ  ＤＬ：１２．２ｋｂｐｓのＲＡＢ＋ＤＬ：３．４ｋｂｐｓのＳＲＢのためのトランスポートチャネルプロシージャ７００を示す。
【０１２５】
[0133]表２１は、様々な実施形態による、Ｎ＝２のＦ−ＵＭＴＳにおけるＡＭＲおよびＤＣＣＨのためのＤＬトランスポートチャネルに関する情報を提供する。
【表２１】
0005746444.tif 000029
【０１２６】
[0134]いくつかの実施形態では、無線フレームセグメンテーション中に、１０×Ｄｃｒ  ｍｓ（すなわち、１０×４）＝４０ｍｓのＡＭＲ  ＴＴＩおよびＤＣＣＨ  ＴＴＩは、１０×Ｄｃｒ  ｍｓ（すなわち、１０×４ｍｓ）＝４０ｍｓの無線フレームに適合する。
【０１２７】
[0135]図８は、様々な実施形態による、Ｎ＝２のＦ−ＵＭＴＳにおけるＡＭＲ  ＤＬ：１２．２ｋｂｐｓのＲＡＢ＋ＤＬ：３．４ｋｂｐｓのＳＲＢのための、トランスポートチャネル（ＴｒＣＨ）の多重化と、トランスポートチャネルの物理チャネルへのマッピングとの図８００を示す。個別のＴｒＣＨは、１０×Ｄｃｒ  ｍｓ（すなわち、４０ｍｓのフレーム）に適合し得る。これらのフレームは、次いで、コード化複合トランスポートチャネル（ＣＣＴｒＣＨ）へ連続的に多重化され得る。したがって、各ＣＣＴｒＣＨは、２つのＡＭＲクラスＡ、Ｂ、およびＣビットシーケンスに加えてシグナリング情報を含み得る。１つのＣＣＴｒＣＨを搬送するために２４０／Ｄｃｒ（すなわち、２４０／４）＝６０ｋｂｐｓのダウンリンクＤＰＣＨが割り振られ得る。ここで示したコンテキストおよび数字は１８個のトランスポートフォーマット組合せ（ＴＦＣ）のうちの１つのみを指し得ることに留意されよう。
【０１２８】
（ＲＡＢサブフロー＃１、ＲＡＢサブフロー＃２、ＲＡＢサブフロー＃３、ＤＣＣＨ）＝（ＴＦ８、ＴＦ３、ＴＦ３、ＴＦ１）。
【０１２９】
[0136]インターリービングの第２ラウンドは、ＣＣＴｒＣＨ上で行われ得る。無線フレーム当たり５１０×Ｄｃｒ（すなわち、２０４０）のコード化ビットは、ＣＲＣおよびテールビットと、１／２または１／３のレートのビットからコード化ビットへのコーディングと、レートマッチングとを含み得る。次いで、コード化ビットは、シリアルパラレル変換を経由し（go through）、１２０／Ｄｃｒ（すなわち、１２０／４）＝３０ｋｓｐｓのＤＰＤＣＨ上に配置され得る。ダウンリンクでは、ＤＰＣＨとして時間多重化されたＤＰＣＣＨとＤＰＤＣＨとが同じ拡散係数を使用し得る。
【０１３０】
[0137]表２２は、様々な実施形態による、ＤＰＤＣＨフィールドとＤＰＣＣＨフィールドとのためのＤＬスロットフォーマットに関する情報を提供する。
【表２２】
0005746444.tif 000030
【０１３１】
[0138]上記の表２２において使用されるスロットフォーマット８が、現在のＵＭＴＳ仕様において使用されるＤＬ  ＤＰＤＣＨ＋ＤＰＣＣＨにおける任意のスロットフォーマットに対応し得ないことに留意されよう。ただし、それは、圧縮モードのために表１０においてＮ＝２のＦ−ＵＭＴＳのために提案されたＤＬ  ＤＰＤＣＨ＋ＤＰＣＣＨにおけるスロットフォーマット８Ｂに対応し得る。代替として、ＵＭＴＳ仕様におけるスロットフォーマット１２Ｂ、１３または１３Ａ（すべてＳＦ３２を有する）が圧縮モードのためにＮ＝２のＦ−ＵＭＴＳ  ＤＬ  ＤＰＤＣＨ＋ＤＰＣＣＨのために使用される場合、いくつかの実施形態では、同じものがまた使用され得る。ただし、データビットが上記の表のスロットフォーマット８Ａとまったく同じであり得ないので、その場合ＲＭ属性が変更され得る。Ｎ＝４のＦ−ＵＭＴＳシステムの場合、帯域幅がより少なく、１２．２ｋｂｐｓのＡＭＲのタイミングおよびビット要件が同じであり得るので、拡散係数は、ビット／スロットしたがってビット／フレームを増加させるために低減され得る。しかしながら、Ｎ＝４のＦ−ＵＭＴＳでは時間が拡張されるので、チャネルビットレートまたはチャネルシンボルレートは変化し得ない。レートマッチング調整方法はまた、通常のＵＭＴＳ（すなわち、Ｎ＝１のＵＭＴＳ）またはＮ＝２のＦ−ＵＭＴＳと比較してＮ＝４のＦ−ＵＭＴＳではほとんど変化し得ない。
【０１３２】
[0139]同様に、上記の表２２において使用されるスロットフォーマット８Ｂは、現在のＵＭＴＳシステムにおいて使用される任意のスロットフォーマットに対応し得ない。また、ＵＭＴＳ仕様では、（ＳＦ１６を有する）スロットフォーマット１３Ｂがあり、それも使用され得る。ただし、データビットが上記の表のスロットフォーマット８Ｂとまったく同じであり得ないので、その場合ＲＭ属性が変更され得る。スロットフォーマット１３Ｂが使用される場合に、１６のＴＦＣＩビットが使用され得ない場合、ＴＦＣＩフィールド中でＤＴＸが使用され得る。
【０１３３】
[0140]２つのボイスフレームが１つの無線フレームにパックされることによりＴＦＣの数が６から１８に増加していることがあるので、ＤＬにおけるＢＴＦＤはより多くの処理時間を取り得る。追加の処理時間は、ボイスのタイミング要件を満たすことが困難であり得るので、スロットフォーマット１２Ｂ（または１３または１３Ａ）は、それがＴＦＣＩフィールドを有するものとして使用され得る。その場合、ＴＦＣＩが存在するので、ＢＴＦＤは行われ得ない。通常のＵＭＴＳのＤＬにおいてＢＴＦＤが行われ得る理由はダウンリンクＡＭＲボイス中にあり、ＴＦＣＩフィールドが送られる場合、ＳＦはより小さくなければならないことがあり、ボイスのためのＳＦがより小さくなると、ＯＶＳＦコードを使い果たす可能性がより高くなるからである。
【０１３４】
[0141]Ｎ＝４のＦ−ＵＭＴＳの場合、テールビットは連結されたトランスポートブロックに１回のみ追加され得るので、１０×Ｄｃｒ  ｍｓ（すなわち、４０ｍｓ）の１つの無線フレーム中に、最悪のＴＦＣの場合の４０ｍｓ中のＮ＝１またはＮ＝２の場合と比較して、Ｒ＝１／３のコーディングを使用するＴｒＣｈ＃Ａ（ＲＡＢサブフロー＃１）およびＴｒＣｈ＃Ｂ（ＲＡＢサブフロー＃２）の場合は８×３＝２４ビット少なくなり、Ｒ＝１／２のコーディングを使用するＴｒＣｈ＃Ｃ（ＲＡＢサブフロー＃３）の場合は８×２＝１６ビット少なくなり得る。したがって、Ｎ＝４の場合２４＋２４＋１５＝６４ビット少なくなり得、これは、表２２におけるスロットフォーマット８と比較して、ＵＭＴＳ仕様におけるスロットフォーマット１２Ｂにおいてスロット当たり１６のデータビット（４０ｍｓ長の１つの無線フレームでは１６×１５＝２４０ビット）の損失を補償するのにある程度まで役立ち得る。ただし、表２２のスロットフォーマット８の代わりにＵＭＴＳ仕様におけるスロットフォーマット１２Ｂが使用される場合、ＲＭ属性は変更され得る。
【０１３５】
[0142]表２３は、様々な実施形態による、ＤＰＤＣＨフィールドのためのＵＬスロットフォーマットに関する情報を提供する。
【表２３】
0005746444.tif 000031
【０１３６】
[0143]上記の表２３において使用されるスロットフォーマットが、現在のＵＭＴＳシステムのＵＬ  ＤＰＤＣＨにおいて使用されるスロットフォーマット４および５にそれぞれ対応し得ることに留意されよう。Ｎ＝４のＦ−ＵＭＴＳシステムの場合、帯域幅がより少なく、１２．２ｋｂｐｓのＡＭＲのタイミングおよびビット要件が同じであり得るので、拡散係数は、ビット／スロットしたがってビット／フレームを増加させるために低減され得る。しかしながら、Ｎ＝４のＦ−ＵＭＴＳでは時間が拡張されるので、チャネルビットレートまたはチャネルシンボルレートは変化し得ない。レートマッチング調整方法は、通常のＵＭＴＳ（すなわち、Ｎ＝１のＵＭＴＳ）またはＮ＝２のＦ−ＵＭＴＳと比較してＮ＝４のＦ−ＵＭＴＳではほとんど変化し得ない。
【０１３７】
[0144]表２４は、様々な実施形態による、ＤＰＣＣＨフィールドのためのアップリンクＵＬスロットフォーマットに関する情報を提供する。
【表２４】
0005746444.tif 000032
【０１３８】
[0145]スロットフォーマット０、０Ａおよび０Ｂが、通常モードの場合の現在のＵＭＴＳシステムのＵＬ  ＤＰＤＣＨにおいて使用されるスロットフォーマット０、０Ａおよび０Ｂにそれぞれ対応し得ることに留意されよう。
【０１３９】
[0146]ＵＬ  ＤＰＣＣＨの場合、スロットフォーマットが２５６の拡散係数を有し得る。したがって、ビット／スロットとビット／フレームとは同じままであり得、チャネルビットレートとチャネルシンボルレートとは、Ｄｃｒでスケールダウンされ得る。その結果、ＴＰＣレートは、Ｎ＝１のＵＭＴＳにおける１５００ＨｚからＮ＝４のＦ−ＵＭＴＳにおける１５００／Ｄｃｒ（すなわち、３７５Ｈｚ）に低減され得る。
【０１４０】
[0147]場合によっては、２０ｍｓごとに（ボイスフレームごとに）少なくとも１回送信される必要があり得る３２のＴＦＣＩ符号化ビットがある。表１０のスロットフォーマット０を使用して、１０×Ｄｃｒ（すなわち、４０ｍｓ）のフレーム持続時間ごとに２×１５＝３０のＴＦＣＩ符号化ビットがあり得る。したがって、ＴＦＣＩコードワードのビットｂ３０およびｂ３１は送信され得ない。
【０１４１】
[0148]３ＧＰＰ  ＴＳ２５．２１２のセクション４．３．５．２は、アップリンク圧縮モードの場合、ＴＦＣＩコード化ビットが失われないようにスロットフォーマットが変更され得ると言及している。圧縮モードにおいて異なるスロットフォーマットは、すべての可能なＴＧＬについてＴＦＣＩコード化ビットの正確な数に一致しないことがある。したがって、ＴＦＣＩビットの繰り返しが使用され得る。
【０１４２】
[0149]ＤＬでは、ＤＰＣＣＨとＤＰＤＣＨとは、ＤＰＣＨとして時間多重化され得、同じ拡散係数を使用し得る。修正されたスロットフォーマット８を使用するダウンリンクＤＰＣＣＨフィールド中のビット数はＮ＝４のＦ−ＵＭＴＳの場合の表２２に示され得る。
【０１４３】
[0150]使用されるスロットフォーマットについて、ＴＦＣＩビット数は０であり得る。したがって、アップリンクとは異なり、ＴＦＣＩの特殊な処理が必要ないことがある。
【０１４４】
[0151]場合によっては、ＴＰＣビットとパイロットビットとは単に、３ＧＰＰ  ＴＳ２５．２１１、表１２〜表１３において定義されている基本パターンを繰り返すことによって取得され得る。
【０１４５】
[0152]概して、拡散係数の低減はリンクバジェットへの影響を有し得る。拡散係数低減を補償し、同じボイスサービスカバレージを維持するために、Ｆ−ＵＭＴＳの場合の同じＰＳＤに対応する送信電力から送信電力が増加され得る。
【０１４６】
[0153]いくつかの実施形態では、２つのボイスフレーム（すなわち、４０ｍｓ長）は、ＭＡＣにおいて利用可能になると、ＰＨＹに配信され得る。（処理時間がＤｃｒでスケーリングされないと仮定すると）何らかのＰＨＹレイヤ処理の後に、オーバージエア送信は、現在の仕様制限により次の無線フレーム境界において開始することが許可され得る。しかしながら、Ｎ＝４のＦ−ＵＭＴＳシステムの場合、ＴＴＩは１０×Ｄｃｒ＝４０ｍｓであり、無線フレームはまた１０×Ｄｃｒ＝４０ｍｓであり得るので、通常ＵＭＴＳシステム（すなわち、Ｎ＝１）またはＮ＝２のＦ−ＵＭＴＳと比較して追加のレイテンシがあり得る。Ｎ＝４のＦ−ＵＭＴＳを介したボイスのための追加のレイテンシを計算する際、処理遅延は、通常のＵＭＴＳ（すなわち、Ｎ＝１）の場合のように一定のままであると仮定され得ることに留意されよう。
【０１４７】
[0154]遅延は、以下の構成要素に分割され得る。ＴＴＩおよび無線フレームの拡張により遅延があり得る。たとえば、無線フレームは、１０×Ｄｃｒ（すなわち、４０）ｍｓ長であり得るので、Ｎ＝１のＵＭＴＳシステムまたはＮ＝２のＦ−ＵＭＴＳシステムと比較して、各ボイスフレームのためのオーバージエア送信について２０ｍｓの追加のレイテンシがあり得る。Ｔｘ側でのボイスフレームのバッファリング（buffering）により遅延があり得る。たとえば、オーバージエア送信は、１０×Ｄｃｒ（すなわち、４０）ｍｓの無線フレーム境界においてのみ許可され得るので、１つのボイスフレームは、２０ｍｓの間さらにバッファされ得るが、他のボイスフレームはバッファされない。Ｒｘ側でのボイスフレームのバッファリングにより遅延があり得る。たとえば、Ｔｘ側でのボイスフレームのバッファリング遅延は、Ｒｘ側にも反映され得る。無線フレームは４０ｍｓ長であり得るので、２つのボイスフレームが４０ｍｓごとに後から来得る。ボイスフレームは、インターボイスフレーム遅延（inter-voice frame delay）を平滑化する（smoothen out）ために２０ｍｓごとにプレイアウトされ（be played out）得るので、１つおきのボイスフレームが、バッファされ、２０ｍｓ後にプレイアウトされ得る。Ｔｘ側においてバッファされるボイスフレームが、Ｒｘ側での受信の直後にプレイアウトされ得ることに留意されよう。一方、Ｔｘ側でバッファされないボイスフレームは、Ｒｘ側で２０ｍｓの間バッファされ得る。
【０１４８】
[0155]したがって、Ｔｘ側（ｂ）とＲｘ側（ｃ）とでのバッファリング遅延は合計され得ず、（ｂ）および（ｃ）について２０ｍｓの正味遅延（net delay）があり得る。全体的に、Ｎ＝４のＦ−ＵＭＴＳシステムではボイスフレームのために２０＋２０ｍｓ＝４０ｍｓの追加の遅延があり得る。Ｎ＝４のＦ−ＵＭＴＳシステムでは、Ｒｘでの（サブフレーム復号方式と呼ばれることがある）初期復号方式（early decoding schemes）は、全体的な追加の遅延を２０ｍｓに低減し得ることに留意されよう。
【０１４９】
[0156]いくつかの実施形態は、１２．２ｋｂｐｓのＡＭＲの場合の解決策と同様であり得る、７．９５ｋｂｐｓのＡＭＲの解決策を提供し得、したがって、詳細に説明しない。クラスＡ、ＢおよびＣビットの数が７．９５ｋｂｐｓのＡＭＲでは１２．２ｋｂｐｓのＡＭＲとは異なるとしても、使用されるスロットフォーマットは、１２.２ｋｂｐｓのＡＭＲの場合と同じであり得る。
【０１５０】
[0157]Ｎ＝２およびＮ＝４のＦ−ＵＭＴＳを介した１２．２ｋｂｐｓのＡＭＲと７．９５ｋｂｐｓのＡＭＲとをサポートするための実施形態は、５．９ｋｂｐｓのＡＭＲなどの他のＡＭＲシステムをサポートするように拡張され得る。たとえば、５．９ｋｂｐｓのＡＭＲの場合、クラスＡ、ＢおよびＣビットの数は、７．９５ｋｂｐｓのＡＭＲの場合のように、１２．２ｋｂｐｓのＡＭＲとは異なり得る。さらに、１２．２ｋｂｐｓのＡＭＲおよび７．９５ｋｂｐｓのＡＭＲとは異なり、５．９ｋｂｐｓのＡＭＲは、ＤＬにおいて異なるスロットフォーマット（ＳＦ２５６）を使用し得る。しかしながら、同様の技法（ＳＦ低減およびＲＭ調整）が、Ｎ＝２およびＮ＝４のＦ−ＵＭＴＳのために、通常のＵＭＴＳにおいて使用されるスロットフォーマットを介して適用され得る。
【０１５１】
[0158]図９は、様々な実施形態による、ワイヤレス通信システム９００のブロック図を示す。このシステム９００は、図１に示したシステム１００、図２のシステム２００、図３のシステム３００、および／または図１１のシステム１１００の態様の一例であり得る。基地局１０５−ｄは、アンテナ９４５と、トランシーバモジュール９５０と、メモリ９７０と、プロセッサモジュール９６５とを含み得、その各々は、（たとえば、１つまたは複数のバス（buses）を介して）互いに直接または間接的に通信していることがある。トランシーバモジュール９５０は、アンテナ９４５を介して、マルチモードモバイルデバイスであり得るモバイルデバイス１１５−ｅと双方向に通信するように構成され得る。トランシーバモジュール９５０（および／または基地局１０５−ｄの他の構成要素）はまた、１つまたは複数のネットワークと双方向に通信するように構成され得る。場合によっては、基地局１０５−ｄは、ネットワーク通信モジュール９７５を通してネットワーク１３０−ａおよび／またはコントローラ１１０−ａと通信し得る。基地局１０５−ｄは、ｅノードＢ基地局、ホームｅノードＢ基地局、ノードＢ基地局、および／またはホームノードＢ基地局の一例であり得る。コントローラ１１０−ａは、ｅノードＢ基地局となど、場合によっては基地局１０５−ｄに統合され得る。
【０１５２】
[0159]基地局１０５−ｄはまた、基地局１０５−ｍおよび基地局１０５−ｎなど、他の基地局１０５と通信し得る。基地局１０５の各々は、異なる無線アクセス技術など、異なるワイヤレス通信技術を使用してモバイルデバイス１１５−ｅと通信し得る。場合によっては、基地局１０５−ｄは、基地局通信モジュール９１５を利用して１０５−ｍおよび／または１０５−ｎなどの他の基地局と通信し得る。いくつかの実施形態では、基地局通信モジュール９１５は、基地局１０５のいくつかの間の通信を提供するために、ＬＴＥワイヤレス通信技術内のＸ２インターフェースを提供し得る。いくつかの実施形態では、基地局１０５−ｄは、コントローラ１１０−ａおよび／またはネットワーク１３０−ａを通して他の基地局と通信し得る。
【０１５３】
[0160]メモリ９７０は、ランダムアクセスメモリ（ＲＡＭ）と読取り専用メモリ（ＲＯＭ）とを含み得る。メモリ９７０はまた、実行されるとプロセッサモジュール９６５に本明細書で説明する様々な機能（たとえば、呼処理（call processing）、データベース管理、メッセージルーティング（message routing）など）を実行させるように構成された命令を含んでいるコンピュータ可読、コンピュータ実行可能ソフトウェアコード９７１を記憶し得る。代替的に、ソフトウェアコード９７１は、プロセッサモジュール９６５によって直接的に実行可能でないことがあるが、たとえば、コンパイルされ実行されるとき、コンピュータに本明細書で説明する機能を実行させるように構成され得る。
【０１５４】
[0161]プロセッサモジュール９６５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などを含み得る。プロセッサモジュール９６５は、マイクロフォンを介してオーディオを受信し、そのオーディオを、受信したオーディオを表す（たとえば、長さ３０ｍｓの）パケットに変換し、そのオーディオパケットをトランシーバモジュール９５０に提供し、ユーザが話しているかどうかの指示を提供するように構成されたスピーチエンコーダ（図示せず）を含み得る。代替的に、エンコーダはパケットのみをトランシーバモジュール９５０に提供し、パケット自体の提供または抑制（withholding）／抑圧（suppression）が、ユーザが話しているかどうかの指示を提供し得る。
【０１５５】
[0162]トランシーバモジュール９５０は、パケットを変調し、変調されたパケットを送信のためにアンテナ９４５に提供し、アンテナ９４５から受信されたパケットを復調するように構成されたモデムを含み得る。基地局１０５−ｄのいくつかの例は単一のアンテナ９４５を含み得るが、基地局１０５−ｄは、好ましくは、キャリアアグリゲーション（carrier aggregation）をサポートし得る複数のリンクのための複数のアンテナ９４５を含む。たとえば、モバイルデバイス１１５−ｅとのマクロ通信をサポートするために１つまたは複数のリンクが使用され得る。
【０１５６】
[0163]図９のアーキテクチャによれば、基地局１０５−ｄは通信管理モジュール９３０をさらに含み得る。通信管理モジュール９３０は、他の基地局１０５との通信を管理し得る。例として、通信管理モジュール９３０は、バスを介して基地局１０５−ｄの他の構成要素の一部または全部と通信している基地局１０５−ｄの構成要素であり得る。代替的に、通信管理モジュール９３０の機能は、トランシーバモジュール９５０の構成要素として、コンピュータプログラム製品として、および／またはプロセッサモジュール９６５の１つまたは複数のコントローラ要素として実装され得る。
【０１５７】
[0164]基地局１０５−ｄのための構成要素は、図４Ａのデバイス４００−ａおよび／または図４Ｂのデバイス４００−ｂに関して上記で説明した態様を実装するように構成され得、簡潔のためにここで繰り返されないことがある。たとえば、トランスポートチャネルモジュール４０５−ｂは、図４のトランスポートチャネルモジュール４０５および／または図４Ｂのトランスポートチャネルモジュール４０５−ａであり得る。物理チャネルモジュール４１０−ｂは、図４の物理チャネルモジュール４１０および／または図４Ｂの物理チャネルモジュール４１０−ａであり得る。送信時間間隔（ＴＴＩ）モジュール４０６−ａは、図４Ｂの送信時間間隔モジュール４０６の一例であり得る。レートマッチングモジュール４０７−ａは、図４Ｂのレートマッチングモジュール４０７の一例であり得る。拡散係数（ＳＦ）低減モジュール４１１−ａは、図４Ｂの拡散係数低減モジュール４１１の一例であり得る。パンクチャリングモジュール４１２−ａは、図４Ｂのパンクチャリングモジュール４１２の一例であり得る。電力制御モジュール４１３−ａは、図４Ｂの電力制御モジュール４１３の一例であり得る。場合によっては、トランスポートチャネルモジュール４０５−ｂは、図４Ｂのデバイス４００−ｂの連結モジュール４０８に関して説明した連結モジュール（図示せず）を含み得る。
【０１５８】
[0165]基地局１０５−ｄはまた、スペクトル識別モジュール９２０を含み得る。スペクトル識別モジュール９２０は、フレキシブル波形のために利用可能なスペクトルを識別するために利用され得る。いくつかの実施形態では、ハンドオーバモジュール（handover module）９２５は、１つの基地局１０５から別の基地局への、モバイルデバイス１１５−ｅのハンドオーバプロシージャを実行するために利用され得る。たとえば、ハンドオーバモジュール９２５は、モバイルデバイス１１５−ｅの基地局１０５−ｄから別の基地局へのハンドオーバプロシージャを実行し得、通常波形がモバイルデバイス１１５−ｅと基地局のうちの１つとの間で利用され、フレキシブル波形がそのモバイルデバイスと別の基地局との間で利用される。スケーリングモジュール９１０は、フレキシブル波形を生成するためにチップレートをスケーリングおよび／または改変する（alter）ために利用され得る。
【０１５９】
[0166]いくつかの実施形態では、基地局１０５−ｄの他の可能な構成要素とともにアンテナ９４５に結合したトランシーバモジュール９５０は、フレキシブル波形および／またはスケーリングファクタに関する情報を、基地局１０５−ｄからモバイルデバイス１１５−ｅに、他の基地局１０５−ｍ／１０５−ｎに、またはコアネットワーク１３０−ａに送信し得る。いくつかの実施形態では、基地局１０５−ｄの他の可能な構成要素とともにアンテナ９４５に結合したトランシーバモジュール９５０は、フレキシブル波形および／またはスケーリングファクタなどの情報をモバイルデバイス１１５−ｅに、他の基地局１０５−ｍ／１０５−ｎに、またはコアネットワーク１３０−ａに送信し得、それにより、これらのデバイスまたはシステムはフレキシブル波形を利用し得る。
【０１６０】
[0167]図１０は、様々な実施形態による、モバイルデバイス１１５−ｆのブロック図１０００である。モバイルデバイス１１５−ｆは、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス（internet appliances）、ゲームコンソール、電子リーダーなど、様々な構成のいずれかを有し得る。モバイルデバイス１１５−ｆは、モバイル動作を容易にするために、小型バッテリーなどの内部電源（図示せず）を有し得る。いくつかの実施形態では、モバイルデバイス１１５−ｆは、図１、図２、図３、図９、および／または図１１のモバイルデバイス１１５、ならびに／あるいは図４ａのデバイス４００−ａおよび／または図４Ｂのデバイス４００−ｂであり得る。モバイルデバイス１１５−ｆはマルチモードモバイルデバイスであり得る。モバイルデバイス１１５−ｆは、場合によってはワイヤレス通信デバイスと呼ばれることがある。
【０１６１】
[0168]モバイルデバイス１１５−ｆは、アンテナ１０４０と、トランシーバモジュール１０５０と、メモリ１０８０と、プロセッサモジュール１０７０とを含み得、その各々は、（たとえば、１つまたは複数のバスを介して）互いに直接または間接的に通信していることがある。トランシーバモジュール１０５０は、上記で説明したように、アンテナ１０４０ならびに／あるいは１つまたは複数のワイヤード（wired）もしくはワイヤレスリンクを介して、１つまたは複数のネットワークと双方向に通信するように構成される。たとえば、トランシーバモジュール１０５０は、図１、図２、図３、図９、および／または図１１の基地局１０５と双方向に通信するように構成され得る。トランシーバモジュール１０５０は、パケットを変調し、変調されたパケットを送信のためにアンテナ１０４０に提供し、アンテナ１０４０から受信されたパケットを復調するように構成されたモデムを含み得る。モバイルデバイス１１５−ｆは単一のアンテナを含み得るが、モバイルデバイス１１５−ｆは通常、複数のリンクのための複数のアンテナ１０４０を含む。
【０１６２】
[0169]メモリ１０８０は、ランダムアクセスメモリ（ＲＡＭ）と読取り専用メモリ（ＲＯＭ）とを含み得る。メモリ１０８０は、実行されるとプロセッサモジュール１０７０に本明細書で説明する様々な機能（たとえば、呼処理、データベース管理、メッセージルーティングなど）を実行させるように構成された命令を含んでいるコンピュータ可読、コンピュータ実行可能ソフトウェアコード１０９５を記憶し得る。代替的に、ソフトウェア１０９５は、プロセッサモジュール１０７０によって直接的に実行可能でないことがあるが、（たとえば、コンパイルされ実行されると）コンピュータに本明細書で説明する機能を実行させるように構成され得る。
【０１６３】
[0170]プロセッサモジュール１０７０は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などを含み得る。プロセッサモジュール１０７０は、マイクロフォンを介してオーディオを受信し、そのオーディオを、受信したオーディオを表す（たとえば、長さ２０ｍｓの）パケットに変換し、そのオーディオパケットをトランシーバモジュール１０５０に提供し、ユーザが話しているかどうかの指示を提供するように構成されたスピーチエンコーダ（図示せず）を含み得る。代替的に、エンコーダはパケットのみをトランシーバモジュール１０５０に提供し得、パケット自体の提供または抑制／抑圧が、ユーザが話しているかどうかの指示を提供し得る。
【０１６４】
[0171]図１０のアーキテクチャによれば、モバイルデバイス１１５−ｆは通信管理モジュール１０６０をさらに含み得る。通信管理モジュール１０６０は、他のモバイルデバイス１１５との通信を管理し得る。例として、通信管理モジュール１０６０は、バスを介してモバイルデバイス１１５−ｆの他の構成要素の一部または全部と通信しているモバイルデバイス１１５−ｆの構成要素であり得る。代替的に、通信管理モジュール１０６０の機能は、トランシーバモジュール１０５０の構成要素として、コンピュータプログラム製品として、および／またはプロセッサモジュール１０７０の１つまたは複数のコントローラ要素として実装され得る。
【０１６５】
[0172]モバイルデバイス１１５−ｆのための構成要素は、図４Ａのデバイス４００−ａおよび／または図４Ｂのデバイス４００−ｂに関して上記で説明した態様を実装するように構成され得、簡潔のためにここで繰り返されないことがある。たとえば、トランスポートチャネルモジュール４０５−ｃは、図４のトランスポートチャネルモジュール４０５および／または図４Ｂのトランスポートチャネルモジュール４０５−ａであり得る。物理チャネルモジュール４１０−ｃは、図４の物理チャネルモジュール４１０および／または図４Ｂの物理チャネルモジュール４１０−ａであり得る。送信時間間隔（ＴＴＩ）モジュール４０６−ｂは、図４Ｂの送信時間間隔モジュール４０６の一例であり得る。レートマッチングモジュール４０７−ｂは、図４Ｂのレートマッチングモジュール４０７の一例であり得る。拡散係数（ＳＦ）低減モジュール４１１−ｂは、図４Ｂの拡散係数低減モジュール４１１の一例であり得る。パンクチャリングモジュール４１２−ｂは、図４Ｂのパンクチャリングモジュール４１２の一例であり得る。電力制御モジュール４１３−ｂは、図４Ｂの電力制御モジュール４１３の一例であり得る。場合によっては、トランスポートチャネルモジュール４０５−ｃは、図４Ｂのデバイス４００−ｂの連結モジュール４０８に関して説明した連結モジュール（図示せず）を含み得る。
【０１６６】
[0173]モバイルデバイス１１５−ｆはまた、スペクトル識別モジュール１０１５を含み得る。スペクトル識別モジュール１０１５は、フレキシブル波形のために利用可能なスペクトルを識別するために利用され得る。いくつかの実施形態では、ハンドオーバモジュール１０２５は、１つの基地局から別の基地局への、モバイルデバイス１１５−ｆのハンドオーバプロシージャを実行するために利用され得る。たとえば、ハンドオーバモジュール１０２５は、１つの基地局から別の基地局への、モバイルデバイス１１５−ｆのハンドオーバプロシージャを実行し得、通常波形がモバイルデバイス１１５−ｆと基地局のうちの１つとの間で利用され、フレキシブル波形がそのモバイルデバイスと別の基地局との間で利用される。スケーリングモジュール１０１０は、フレキシブル波形を生成するためにチップレートをスケーリングおよび／または改変するために利用され得る。
【０１６７】
[0174]いくつかの実施形態では、モバイルデバイス１１５−ｆの他の可能な構成要素とともにアンテナ１０４０に結合したトランシーバモジュール１０５０は、フレキシブル波形および／またはスケーリングファクタに関する情報をモバイルデバイス１１５−ｆから基地局またはコアネットワークに送信し得る。いくつかの実施形態では、モバイルデバイス１１５−ｆの他の可能な構成要素とともにアンテナ１０４０に結合したトランシーバモジュール１０５０は、フレキシブル波形および／またはスケーリングファクタなどの情報を基地局またはコアネットワークに送信し得、それにより、これらのデバイスまたはシステムはフレキシブル波形を利用し得る。
【０１６８】
[0175]図１１は、様々な実施形態による、基地局１０５−ｅとモバイルデバイス１１５−ｇとを含むシステム１１００のブロック図である。このシステム１１００は、図１のシステム１００、図２のシステム２００、図３のシステム３００、および／または図９のシステム９００の一例であり得る。基地局１０５−ｅはアンテナ１１３４−ａ〜１１３４−ｘを装備し得、モバイルデバイス１１５−ｇはアンテナ１１５２−ａ〜１１５２−ｎを装備し得る。基地局１０５−ｅにおいて、送信機プロセッサ１１２０がデータソースからデータを受信し得る。基地局１０５−ｅおよび／またはモバイルデバイス１１５−ｇは、図４Ａのデバイス４００−ａおよび／または図４Ｂのデバイス４００−ｂの態様を実装し得る。モバイルデバイス１１５−ｇは、図１０のモバイルデバイス１１５−ｆの一例であり得る。
【０１６９】
[0176]送信機プロセッサ１１２０はデータを処理し得る。送信機プロセッサ１１２０はまた、基準シンボルとセル固有基準信号とを生成し得る。送信（ＴＸ）ＭＩＭＯプロセッサ１１３０が、適用可能な場合、データシンボル、制御シンボル、および／または基準シンボルに対して空間処理（たとえば、プリコーディング（precoding））を実行し得、出力シンボルストリームを送信変調器１１３２−ａ〜１１３２−ｘに提供し得る。各変調器１１３２は、（たとえば、ＯＦＤＭなどのために）それぞれの出力シンボルストリームを処理して、出力サンプルストリームを取得し得る。各変調器１１３２はさらに、出力サンプルストリームを処理（たとえば、アナログへの変換、増幅、フィルタ処理、およびアップコンバート）して、ダウンリンク信号（ＤＬ）を取得し得る。一例では、変調器１１３２−ａ〜１１３２−ｘからのＤＬ信号は、それぞれアンテナ１１３４−ａ〜１１３４−ｘを介して送信され得る。送信機プロセッサ１１２０は、プロセッサ１１４０から情報を受信し得る。プロセッサ１１４０は、チップレートを改変することおよび／またはスケーリングファクタを利用することを通してフレキシブル波形を生成するように構成され得、これは、場合によっては動的に行われ得る。プロセッサ１１４０はまた、異なる整合（alignment）および／またはオフセットプロシージャを提供し得る。プロセッサ１１４０はまた、他のサブシステム上で測定を実行すること、他のサブシステムへのハンドオフを実行すること、再選択を実行することなどを行うために、スケーリングおよび／またはチップレート情報を利用し得る。プロセッサ１１４０は、パラメータスケーリングを通してフレキシブルな帯域幅の使用に関連するタイムストレッチングの影響を反転させ（invert）得る。いくつかの実施形態では、プロセッサ１１４０は、一般的なプロセッサ、送信機プロセッサ１１２０、および／または受信機プロセッサ１１３８の一部として実装され得る。プロセッサ１１４０はメモリ１１４２と結合され得る。
【０１７０】
[0177]いくつかの実施形態では、プロセッサ１１４０および／またはＴｘプロセッサ１１２０は、フレキシブル帯域幅キャリアを介してボイスサービスのためのボイスデータなどのデータを提供するように構成される。フレキシブル帯域幅キャリアを介してそのようなデータおよび／またはサービスを提供する際に、プロセッサ１１４０および／またはＴｘプロセッサ１１２０は、フレキシブル帯域幅キャリアのための情報データレートを少なくとも通常帯域幅キャリアのデータレートのようなデータレートであるレートに保つように構成され得る。たとえば、１つのボイスフレームは、ＮまたはＤｃｒにかかわらず、送信時に２０ｍｓの時間ウィンドウに依然としてマッピングされ得る。いくつかの実施形態では、プロセッサ１１４０および／またはＴｘプロセッサ１１２０は、通常帯域幅キャリアのためのデータレートを識別するように構成される。プロセッサ１１４０および／またはＴｘプロセッサ１１２０は、フレキシブル帯域幅キャリアのためのデータレートが、少なくとも通常帯域幅キャリアのための識別されたデータレートを達成し得るようにフレキシブル帯域幅キャリアのための低減された拡散係数を判断し得る。低減された拡散係数は、プロセッサ１１４０および／またはＴｘプロセッサ１１２０によってフレキシブル帯域幅キャリアのためのデータレートを達成するために利用され得る。
【０１７１】
[0178]モバイルデバイス１１５−ｇにおいて、モバイルデバイスアンテナ１１５２−ａ〜１１５２−ｎは、基地局１０５−ｅからＤＬ信号を受信し得、受信された信号をそれぞれ復調器１１５４−ａ〜１１５４−ｎに提供し得る。各復調器１１５４は、それぞれの受信された信号を調整（condition）（たとえば、フィルタ処理、増幅、ダウンコンバート、およびデジタル化）して、入力サンプルを取得し得る。各復調器１１５４はさらに、（たとえば、ＯＦＤＭなどの）入力サンプルを処理して受信されたシンボルを取得し得る。ＭＩＭＯ検出器１１５６は、すべての復調器１１５４−ａ〜１１５４−ｎから受信されたシンボルを取得し得、適用可能な場合は受信されたシンボルに対してＭＩＭＯ検出を実行し、検出されたシンボルを提供し得る。受信プロセッサ１１５８は、検出されたシンボルを処理（たとえば、復調、デインターリーブ、および復号）し、モバイルデバイス１１５−ｇの復号されたデータをデータ出力に提供し、復号された制御情報をプロセッサ１１８０、またはメモリ１１８２に提供し得る。
【０１７２】
[0179]アップリンク（ＵＬ）上で、モバイルデバイス１１５−ｇにおいて、送信機プロセッサ１１６４は、データソースからデータを受信し、処理し得る。送信機プロセッサ１１６４はまた、基準信号のための基準シンボルを生成し得る。送信機プロセッサ１１６４からのシンボルは、適用可能な場合、送信ＭＩＭＯプロセッサ１１６６によってプリコーディングされ、さらに、（たとえば、ＳＣ−ＦＤＭＡなどのための）復調器１１５４−ａ〜１１５４−ｎによって処理され、基地局１０５−ｅから受信された送信パラメータに従って基地局１０５−ｅに送信され得る。送信機プロセッサ１１６４はまた、チップレートを改変することおよび／またはスケーリングファクタを利用することを通してフレキシブル波形を生成するように構成され得、これは、場合によっては動的に行われ得る。送信機プロセッサ１１６４は、プロセッサ１１８０から情報を受信し得る。プロセッサ１１８０は、異なる整合および／またはオフセットプロシージャ（offsetting procedures）を提供し得る。プロセッサ１１８０はまた、他のサブシステム上で測定を実行すること、他のサブシステムへのハンドオフを実行すること、再選択を実行することなどを行うために、スケーリングおよび／またはチップレート情報を利用し得る。プロセッサ１１８０は、パラメータスケーリングを通してフレキシブルな帯域幅の使用に関連するタイムストレッチングの影響を反転させ得る。基地局１０５−ｅにおいて、モバイルデバイス１１５−ｇからのＵＬ信号は、アンテナ１１３４によって受信され、復調器１１３２によって処理され、適用可能な場合はＭＩＭＯ検出器１１３６によって検出され、さらに受信プロセッサによって処理され得る。受信プロセッサ１１３８は、復号されたデータをデータ出力とプロセッサ１１８０とに提供し得る。いくつかの実施形態では、プロセッサ１１８０は、一般的なプロセッサ、送信機プロセッサ１１６４、および／または受信機プロセッサ１１５８の一部として実装され得る。
【０１７３】
[0180]いくつかの実施形態では、プロセッサ１１８０および／またはＴｘプロセッサ１１６４は、フレキシブル帯域幅キャリアを介してボイスサービスのためのボイスデータなどのデータを提供するように構成される。フレキシブル帯域幅キャリアを介してそのようなデータおよび／またはサービスを与える際に、プロセッサ１１８０および／またはＴｘプロセッサ１１６４は、フレキシブル帯域幅キャリアのための情報データレートを少なくとも通常帯域幅キャリアのデータレートのようなデータレートであるレートに保つように構成され得る。たとえば、１つのボイスフレームは、ＮまたはＤｃｒにかかわらず、送信時に２０ｍｓの時間ウィンドウに依然としてマッピングされ得る。いくつかの実施形態では、プロセッサ１１８０および／またはＴｘプロセッサ１１６４は、通常帯域幅キャリアのためのデータレートを識別するように構成される。プロセッサ１１８０および／またはＴｘプロセッサ１１６４は、フレキシブル帯域幅キャリアのためのデータレートが、少なくとも通常帯域幅キャリアのための識別されたデータレートを達成し得るようにフレキシブル帯域幅キャリアのための低減された拡散係数を判断し得る。低減された拡散係数は、プロセッサ１１８０および／またはＴｘプロセッサ１１６４によってフレキシブル帯域幅キャリアのためのデータレートを達成するために利用され得る。
【０１７４】
[0181]図１２Ａを参照すると、様々な実施形態による、フレキシブル帯域幅キャリアを介してボイスサービスの一部としてのボイスデータなどのデータを提供するための方法１２００−ａの流れ図が示されている。方法１２００−ａは、限定はしないが、図１、図２、図３、図９、および／または図１１に示されているような基地局１０５、ならびに／あるいは図４に示されているようなデバイス４００を含む、様々なワイヤレス通信デバイスを利用して実装され得る。いくつかの実施形態では、方法１２００−ａは、限定はしないが、図１、図２、図３、図９、図１０、および／または図１１に示されているようなモバイルデバイス１１５を含む、様々なワイヤレス通信デバイスを利用して実装され得る。
【０１７５】
[0182]ブロック１２０５において、通常帯域幅キャリアを介したサービスのためのデータレートが識別され得る。ブロック１２１０において、フレキシブル帯域幅キャリアを介したデータレートが、少なくとも通常帯域幅キャリアを介した識別されたデータレートを達成し得るようにフレキシブル帯域幅キャリアのための低減された拡散係数が判断され得る。ブロック１２１５において、フレキシブル帯域幅キャリアを介したデータレートを達成するために低減された拡散係数が利用され得る。
【０１７６】
[0183]方法１２００−ａのいくつかの実施形態は、フレキシブル帯域幅キャリアの第１の無線フレームに第１のボイスフレームと第２のボイスフレームの一方または両方を適合させることを含む。第１の無線フレームは拡張した無線フレームであり得る。
【０１７７】
[0184]低減された拡散係数を判断することは、フレキシブル帯域幅キャリアのチップレートディバイダで通常帯域幅キャリアの拡散係数を割ることを含み得る。チップレートディバイダは、フレキシブル帯域幅キャリアの帯域幅スケーリングファクタに等しくなり得る。
【０１７８】
[0185]フレキシブル帯域幅キャリアを介したデータレートは、フレキシブル帯域幅キャリアを介したデータの適用例に依存し得る。フレキシブル帯域幅キャリアを介したデータの適用例はボイスアプリケーションを含み得る。
【０１７９】
[0186]いくつかの実施形態は、少なくともパンクチャリングプロセスまたは繰り返しプロセスを通してレートマッチング調整を適用することを含む。いくつかの実施形態は、少なくとも低減された拡散係数を補償するために送信電力を増加させることを含む。いくつかの実施形態は、フレキシブル帯域幅キャリアのためのデータレートの達成を容易にするために送信時間間隔を判断することを含む。
【０１８０】
[0187]フレキシブル帯域幅キャリアは、２または４に等しい帯域幅スケーリングファクタをもつフレキシブル帯域幅ＵＭＴＳシステムを含み得る。
【０１８１】
[0188]図１２Ｂを参照すると、様々な実施形態による、フレキシブル帯域幅キャリアを介してボイスサービスの一部としてのボイスデータなどのデータを提供するための方法１２００−ｂの流れ図が示されている。方法１２００−ｂは、限定はしないが、図１、図２、図３、図９、および／または図１１に示されているような基地局１０５、ならびに／あるいは図４に示されているようなデバイス４００を含む、様々なワイヤレス通信デバイスを利用して実装され得る。いくつかの実施形態では、方法１２００−ｂは、限定はしないが、図１、図２、図３、図９、図１０、および／または図１１に示されているようなモバイルデバイス１１５を含む、様々なワイヤレス通信デバイスを利用して実装され得る。方法１２００−ｂは、図１２Ａの方法１２００−ａの一例であり得、方法１２００−ａの１つまたは複数の態様を利用し得る。
【０１８２】
[0189]ブロック１２０５−ａにおいて、少なくとも通常帯域幅キャリアのためのＡＭＲサービスのための１２．２ｋｂｐｓまたは７．９５ｋｂｐｓのデータレートのＣＳベアラが識別され得る。ブロック１２１０−ａにおいて、フレキシブル帯域幅キャリアを介したデータレートが、少なくとも通常キャリア帯域幅システムを介した識別されたデータレートを達成するように、通常帯域幅キャリアのための拡散係数に関するＤＣＲのファクタでベアラのための拡散係数が低減され得る。ブロック１２１５−ａにおいて、フレキシブル帯域幅キャリアを介したデータレートを達成するために低減された拡散係数が利用され得る。ブロック１２２５において、低減された拡散係数に基づいて送信電力が増加させられ得る。
【０１８３】
[0190]図１２Ｃを参照すると、様々な実施形態による、フレキシブル帯域幅キャリアを介してボイスサービスの一部としてのボイスデータなどのデータを提供するための方法１２００−ｃの流れ図が示されている。方法１２００−ｃは、限定はしないが、図１、図２、図３、図９、および／または図１１に示されているような基地局１０５、ならびに／あるいは図４に示されているようなデバイス４００を含む、様々なワイヤレス通信デバイスを利用して実装され得る。いくつかの実施形態では、方法１２００−ｃは、限定はしないが、図１、図２、図３、図９、図１０、および／または図１１に示されているようなモバイルデバイス１１５を含む、様々なワイヤレス通信デバイスを利用して実装され得る。方法１２００−ｃは、図１２Ａの方法１２００−ａの一例であり得、方法１２００−ａの１つまたは複数の態様を利用し得る。
【０１８４】
[0191]ブロック１２０５−ｂにおいて、少なくとも通常帯域幅キャリアを介したＡＭＲサービスのための１２．２ｋｂｐｓまたは７．９５ｋｂｐｓのデータレートのＣＳベアラが識別され得る。ブロック１２３０において、複数のトランスポートブロックが連結され得る。ブロック１２１０−ｂにおいて、フレキシブル帯域幅キャリアを介したデータレートが、少なくとも通常帯域幅キャリアを介した識別されたデータレートを達成するように、通常帯域幅キャリアのための拡散係数に関するＤＣＲのファクタでベアラのための拡散係数が低減され得る。ブロック１２１５−ｂにおいて、フレキシブル帯域幅キャリアを介したデータレートを達成するために低減された拡散係数が利用され得る。ブロック１２２５−ａにおいて、低減された拡散係数に基づいて送信電力が増加させられ得る。
【０１８５】
[0192]添付の図面に関して上記に記載した詳細な説明は、例示的な実施形態について説明しており、実装され得るまたは特許請求の範囲内に入る実施形態がこれらのみであることを表すものではない。この説明全体にわたって使用する「例示的」という用語は、「例、事例、または例示の働きをすること」を意味し、「好ましい」または「他の実施形態よりも有利な」を意味しない。詳細な説明は、説明した技法の理解を提供するために、具体的な詳細を含む。ただし、これらの技法は、これらの具体的な詳細なしに実施され得る。場合によっては、説明した実施形態の概念を不明瞭にしないように、よく知られている構造およびデバイスがブロック図の形態で示される。
【０１８６】
[0193]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１８７】
[0194]本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１８８】
[0195]本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング（hardwiring）、またはこれらのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目のリスト中で使用される「または」は、たとえば、「Ａ、Ｂ、またはＣのうちの少なくとも１つ」のリストは、ＡまたはＢまたはＣまたはＡＢまたはＡＣまたはＢＣまたはＡＢＣ（すなわち、ＡおよびＢおよびＣ）を意味するような選言的リストを示す。
【０１８９】
[0196]コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれる。
【０１９０】
[0197]本開示についての以上の説明は、当業者が本開示を作成または使用することができるように提供される。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についてのプリファレンス（preference）を暗示せず、または必要としない。したがって、本開示は、本明細書で説明する例および設計に限定されるべきでなく、本明細書で開示する原理および新規の特徴に合致する最も広い範囲を与えられるべきである。
以下に、本願出願の当初の特許請求の範囲に記載された発明を付記する。
［１］フレキシブル帯域幅キャリアを介してデータを提供するための方法であって、
通常帯域幅キャリアを介したサービスのためのデータレートを識別することと、
前記フレキシブル帯域幅キャリアを介したデータレートが、少なくとも前記通常帯域幅キャリアを介した前記識別されたデータレートを達成するように前記フレキシブル帯域幅キャリアのための低減された拡散係数を判断することと、
前記フレキシブル帯域幅キャリアを介した前記データレートを達成するために前記低減された拡散係数を利用することと
を備える、方法。
［２］前記フレキシブル帯域幅キャリアの第１の無線フレームに第１のボイスフレームと第２のボイスフレームの一方または両方を適合させること
をさらに備える、［１］に記載の方法。
［３］前記低減された拡散係数を判断することが、
前記フレキシブル帯域幅キャリアのチップレートディバイダで前記通常帯域幅キャリアの拡散係数を割ること
を備える、［１］に記載の方法。
［４］前記フレキシブル帯域幅キャリアが、２または４に等しい帯域幅スケーリングファクタをもつフレキシブル帯域幅ＵＭＴＳキャリアを含む、［２］に記載の方法。
［５］前記第１の無線フレームが拡張した無線フレームである、［２］に記載の方法。
［６］前記フレキシブル帯域幅キャリアを介した前記データレートが、前記フレキシブル帯域幅キャリアを介した前記データの適用例に依存する、［１］に記載の方法。
［７］前記フレキシブル帯域幅キャリアを介した前記データの前記適用例がボイスアプリケーションを含む、［６］に記載の方法。
［８］前記チップレートディバイダが、前記フレキシブル帯域幅キャリアの帯域幅スケーリングファクタに等しい、［３］に記載の方法。
［９］少なくともパンクチャリングプロセスまたは繰り返しプロセスを通してレートマッチング調整を適用すること
をさらに備える、［１］に記載の方法。
［１０］少なくとも前記低減された拡散係数を補償するために送信電力を増加させること
をさらに備える、［１］に記載の方法。
［１１］前記フレキシブル帯域幅キャリアのための前記データレートをさらに容易にするために送信時間間隔を判断すること
をさらに備える、［１］に記載の方法。
［１２］フレキシブル帯域幅キャリアを介してデータを提供するように構成されたワイヤレス通信システムであって、
通常帯域幅キャリアを介したサービスのためのデータレートを識別するための手段と、
前記フレキシブル帯域幅キャリアを介したデータレートが、少なくとも前記通常帯域幅キャリアを介した前記識別されたデータレートであるように前記フレキシブル帯域幅キャリアのための低減された拡散係数を判断するための手段と、
前記フレキシブル帯域幅キャリアを介した前記データレートを達成するために前記低減された拡散係数を利用するための手段と
を備える、システム。
［１３］前記フレキシブル帯域幅キャリアの第１の無線フレームに第１のボイスフレームと第２のボイスフレームの一方または両方を適合させるための手段
をさらに備える、［１２］に記載のワイヤレス通信システム。
［１４］前記低減された拡散係数を判断するための前記手段が、
前記フレキシブル帯域幅キャリアのチップレートディバイダで前記通常帯域幅キャリアの拡散係数を割るための手段
を備える、［１２］に記載のワイヤレス通信システム。
［１５］前記フレキシブル帯域幅キャリアが、２または４に等しい帯域幅スケーリングファクタをもつフレキシブル帯域幅ＵＭＴＳキャリアを含む、［１３］に記載のワイヤレス通信システム。
［１６］前記第１の無線フレームが拡張した無線フレームである、［１３］に記載のワイヤレス通信システム。
［１７］前記フレキシブル帯域幅キャリアを介した前記データレートが、前記フレキシブル帯域幅キャリアを介した前記データの適用例に依存する、［１３］に記載のワイヤレス通信システム。
［１８］前記フレキシブル帯域幅キャリアを介した前記データの前記適用例がボイスアプリケーションを含む、［１７］に記載のワイヤレス通信システム。
［１９］前記チップレートディバイダが、前記フレキシブル帯域幅キャリアの帯域幅スケーリングファクタに等しい、［１４］に記載のワイヤレス通信システム。
［２０］少なくともパンクチャリングプロセスまたは繰り返しプロセスを通してレートマッチング調整を適用するための手段
をさらに備える、［１２］に記載のワイヤレス通信システム。
［２１］少なくとも前記低減された拡散係数を補償するために送信電力を増加させるための手段
をさらに備える、［１２］に記載のワイヤレス通信システム。
［２２］前記フレキシブル帯域幅キャリアのための前記データレートをさらに容易にするために送信時間間隔を判断するための手段
をさらに備える、［１２］に記載のワイヤレス通信システム。
［２３］フレキシブル帯域幅キャリアを介してデータを提供するためのコンピュータプログラム製品であって、
通常帯域幅キャリアを介したサービスのためのデータレートを識別するためのコードと、
前記フレキシブル帯域幅キャリアを介したデータレートが、少なくとも前記通常帯域幅キャリアを介した前記識別されたデータレートであるように前記フレキシブル帯域幅キャリアのための低減された拡散係数を判断するためのコードと、
前記フレキシブル帯域幅キャリアを介した前記データレートを達成するために前記低減された拡散係数を利用するためのコードと
を備える非一時的コンピュータ可読媒体
を備える、コンピュータプログラム製品。
［２４］前記非一時的コンピュータ可読媒体が、
前記フレキシブル帯域幅キャリアの第１の無線フレームに第１のボイスフレームと第２のボイスフレームの一方または両方を適合させるためのコード
をさらに備える、［２３］に記載のコンピュータプログラム製品。
［２５］前記低減された拡散係数を判断する前記コードが、
前記フレキシブル帯域幅キャリアのチップレートディバイダで前記通常帯域幅キャリアの拡散係数を割るためのコード
を備える、［２３］に記載のコンピュータプログラム製品。
［２６］前記フレキシブル帯域幅キャリアが、２または４に等しい帯域幅スケーリングファクタをもつフレキシブル帯域幅ＵＭＴＳキャリアを含む、［２４］に記載のコンピュータプログラム製品。
［２７］前記第１の無線フレームが拡張した無線フレームである、［２４］に記載のコンピュータプログラム製品。
［２８］前記フレキシブル帯域幅キャリアを介した前記データレートが、前記フレキシブル帯域幅キャリアを介した前記データの適用例に依存する、［２３］に記載のコンピュータプログラム製品。
［２９］前記フレキシブル帯域幅キャリアを介した前記データの前記適用例がボイスアプリケーションを含む、［２８］に記載のコンピュータプログラム製品。
［３０］前記チップレートディバイダが、前記フレキシブル帯域幅キャリアの帯域幅スケーリングファクタに等しい、［２５］に記載のコンピュータプログラム製品。
［３１］前記非一時的コンピュータ可読媒体が、
少なくともパンクチャリングプロセスまたは繰り返しプロセスを通してレートマッチング調整を適用するためのコード
をさらに備える、［２３］に記載コンピュータプログラム製品。
［３２］前記非一時的コンピュータ可読媒体が、
少なくとも前記低減された拡散係数を補償するために送信電力を増加させるためのコード
をさらに備える、［２３］に記載のコンピュータプログラム製品。
［３３］前記非一時的コンピュータ可読媒体が、
前記フレキシブル帯域幅キャリアのための前記データレートをさらに容易にするために送信時間間隔を判断するためのコード
をさらに備える、［２３］に記載のコンピュータプログラム製品。
［３４］フレキシブル帯域幅キャリアを介してデータを提供するように構成されたワイヤレス通信デバイスであって、
通常帯域幅キャリアを介したサービスのためのデータレートを識別することと、
前記フレキシブル帯域幅キャリアを介したデータレートが、少なくとも前記通常帯域幅キャリアを介した前記識別されたデータレートであるように前記フレキシブル帯域幅キャリアのための低減された拡散係数を判断することと、
前記フレキシブル帯域幅キャリアを介した前記データレートを達成するために前記低減された拡散係数を利用することと
を行うように構成された少なくとも１つのプロセッサ
を備える、ワイヤレス通信デバイス。
［３５］前記少なくとも１つのプロセッサが、
前記フレキシブル帯域幅キャリアの第１の無線フレームに第１のボイスフレームと第２のボイスフレームの一方または両方を適合させること
を行うようにさらに構成された、［３４］に記載のワイヤレス通信デバイス。
［３６］前記低減された拡散係数を判断するように構成された前記少なくとも１つのプロセッサが、
前記フレキシブル帯域幅キャリアのチップレートディバイダで前記通常帯域幅キャリアの拡散係数を割ること
を行うように構成された、［３４］に記載のワイヤレス通信デバイス。
［３７］前記フレキシブル帯域幅キャリアが、２または４に等しい帯域幅スケーリングファクタをもつフレキシブル帯域幅ＵＭＴＳシステムを含む、［３５］に記載のワイヤレス通信デバイス。
［３８］前記第１の無線フレームが拡張した無線フレームである、［３５］に記載のワイヤレス通信デバイス。
［３９］前記フレキシブル帯域幅キャリアを介した前記データレートが、前記フレキシブル帯域幅キャリアを介した前記データの適用例に依存する、［３４］に記載のワイヤレス通信デバイス。
［４０］前記フレキシブル帯域幅キャリアを介した前記データの前記適用例がボイスアプリケーションを含む、［３９］に記載のワイヤレス通信デバイス。
［４１］前記チップレートディバイダが、前記フレキシブル帯域幅キャリアの帯域幅スケーリングファクタに等しい、［３６］に記載のワイヤレス通信デバイス。
［４２］前記少なくとも１つのプロセッサが、
少なくともパンクチャリングプロセスまたは繰り返しプロセスを通してレートマッチング調整を適用すること
を行うようにさらに構成された、［３４］に記載のワイヤレス通信デバイス。
［４３］前記少なくとも１つのプロセッサが、
少なくとも前記低減された拡散係数を補償するために送信電力を増加させること
を行うようにさらに構成された、［３４］に記載のワイヤレス通信デバイス。
［４４］前記少なくとも１つのプロセッサが、
前記フレキシブル帯域幅キャリアのための前記データレートをさらに容易にするために送信時間間隔を判断すること
を行うようにさらに構成された、［３４］に記載のワイヤレス通信デバイス。
【図１】
0005746444.tif 000033
【図２Ａ】
0005746444.tif 000034
【図２Ｂ】
0005746444.tif 000035
【図３】
0005746444.tif 000036
【図４Ａ】
0005746444.tif 000037
【図４Ｂ】
0005746444.tif 000038
【図５】
0005746444.tif 000039
【図６】
0005746444.tif 000040
【図７】
0005746444.tif 000041
【図８】
0005746444.tif 000042
【図９】
0005746444.tif 000043
【図１０】
0005746444.tif 000044
【図１１】
0005746444.tif 000045
【図１２Ａ】
0005746444.tif 000046
【図１２Ｂ】
0005746444.tif 000047
【図１２Ｃ】
0005746444.tif 000048